(57)【要約】  本発明は、データパケットの送信方法を提供し、前記送信方法において、無線アクセスバックホール統合伝送リンクＩＡＢノードは、コントロールプレーンシグナリング又はユーザープレーンのデータパケットであるデータパケットにアダプテーションレイヤヘッダを追加し、該データパケットをネクストホップＩＡＢノードに送信するか、無線アクセスバックホール統合伝送リンクＩＡＢノードは、ベアラ構成情報を取得し、データパケットを送信するためのベアラを該ベアラ構成情報に従って決定するステップと、前記ＩＡＢは、前記ベアラを介して、前記データパケットを子ＩＡＢノード又は親ＩＡＢノード又はＩＡＢドナーに送信するステップと、を含む。本発明は、データパケットの送信装置、データパケットの受信方法及び装置、データパケットの伝送システム、記憶媒体、及び電子装置をさらに提供する。【選択図】図４
2021528020.tif 000002
【特許請求の範囲】
【請求項１】
データパケットの送信方法であって、
無線アクセスバックホール統合伝送リンクＩＡＢノードは、コントロールプレーンシグナリング又はユーザープレーンのデータパケットであるデータパケットにアダプテーションレイヤヘッダを追加し、前記データパケットをネクストホップＩＡＢノードに送信するステップを含む、データパケットの送信方法。
【請求項２】
前記ＩＡＢノードは前記ＩＡＢノードの識別子情報を取得し、追加された前記アダプテーションレイヤヘッダに前記識別子情報を設定するステップをさらに含む、請求項１に記載の方法。
【請求項３】
前記ＩＡＢノードが前記識別子情報を取得するステップは、
前記ＩＡＢノードは、無線リソース制御ＲＲＣメッセージを通じて集中型ユニットＣＵから前記識別子情報を取得するか、
前記ＩＡＢノードは、Ｆ１メッセージを通じて前記識別子情報を取得するか、又は、
前記ＩＡＢノードは、メディアアクセス制御ユニットＭＡＣ  ＣＥを通じて親ＩＡＢノードから前記識別子情報を取得するステップを含む、請求項２に記載の方法。
【請求項４】
前記ＩＡＢノードが前記データパケットに前記アダプテーションレイヤヘッダを追加する前に、
前記ＩＡＢノードは、Ｆ１メッセージを通じて集中型ユニットＣＵからＩＡＢノード指示情報を取得するステップをさらに含む、請求項１に記載の方法。
【請求項５】
前記アダプテーションレイヤヘッダには、
ソースＩＡＢノードの識別子情報、フォーマット指示情報、指定された情報の情報ドメインが存在するか否かを指示するための指示情報、中継指示情報、プロトコルタイプ指示情報、プロトコル層処理の実行要否又は実行済みを指示するための指示情報、ＵＥ識別子タイプを指示するための指示情報、ＵＥ識別子とＭＴ識別子の区別を指示するための指示情報、データパケットの生成ソースを指示するための指示情報、ＵＥ識別子情報、ターゲットノード情報、ベアラ識別子、論理チャネル識別子、ルーティングパス情報、サービス品質ＱｏＳ情報、ＧＴＰトンネル情報、Ｆ１ＡＰ  ＩＤ情報、コントロールプレーン指示情報、ユーザープレーン指示情報のうちの少なくとも１つが含まれる、請求項１に記載の方法。
【請求項６】
前記ＩＡＢノード識別子情報は、
前記ＩＡＢノードのモバイル端末のＭＴ部分を識別するための第１識別子、前記ＩＡＢノード又はＩＡＢドナーの分散型ユニットＤＵ、集中型ユニットＣＵ、又は基地局部分を識別するための第２識別子のうちの少なくとも１つを含む、請求項２〜５のいずれか一項に記載の方法。
【請求項７】
前記第１識別子は、Ｃ−ＲＮＴＩ、及びＣ−ＲＮＴＩが割り当てられたノード又はセル識別子、Ｆ１ＡＰ  ＩＤ、Ｘ２ＡＰ  ＩＤ、ＸｎＡＰ  ＩＤ、Ｓ１ＡＰ  ＩＤ、ＮＧＡＰ  ＩＤ、ＧＴＰ  ＴＥＩＤ、ＤＵ識別子、セル識別子、ＰＣＩ及び第３識別子のうちの少なくとも１つを含む、請求項６に記載の方法。
【請求項８】
前記第２識別子は、ＤＵ識別子、ＣＵ識別子、基地局識別子、セル識別子、ＰＣＩ、ＩＰアドレス、及び第３識別子のうちの少なくとも１つを含む、請求項６に記載の方法。
【請求項９】
前記第３識別子は、ＣＵによって割り当てられた識別子、ＣＵ−ＣＰによって割り当てられた識別子、ＣＵ−ＵＰによって割り当てられた識別子、又は、前記親ＩＡＢノードによって割り当てられた識別子である、請求項７又は８に記載の方法。
【請求項１０】
前記データパケットがコントロールプレーンシグナリングである場合、前記コントロールプレーンシグナリングは、前記ＩＡＢノード識別子情報を含み、前記ＩＡＢノード識別子情報は、ソースノードの識別子情報とターゲットノードの識別子情報のうちの少なくとも１つを含み、又は、前記コントロールプレーンシグナリングデータパケットのＰＤＣＰ  ＰＤＵには、ベアラされたプロトコルタイプを示すためのプロトコルタイプ指示情報が含まれ、前記プロトコルタイプは、ＲＲＣ、Ｆ１ＡＰ、Ｘ２ＡＰ、ＸｎＡＰ、Ｓ１ＡＰ、ＮＧＡＰのうちの１つを含む、請求項６に記載の方法。
【請求項１１】
データパケットの送信方法であって、
無線アクセスバックホール統合伝送リンクＩＡＢノードは、ベアラ構成情報を取得し、データパケットを送信するためのベアラを前記ベアラ構成情報に従って決定するステップと、
前記ＩＡＢノードは、前記ベアラを介して、子ＩＡＢノード又は親ＩＡＢノード又はＩＡＢドナーに前記データパケットを送信するステップと、を含む、データパケットの送信方法。
【請求項１２】
前記ベアラ構成情報は、
ＤＲＢ  ＩＤ又はＳＲＢ  ＩＤを含むベアラ識別子、アダプテーションレイヤの解析要否を指示するための指示情報、Ｆ１ＡＰカプセル化を指示するための指示情報、ＧＴＰ−Ｕカプセル化を指示するための指示情報、ＰＤＣＰ処理を指示するための指示情報、関連ベアラによってベアラされるデータパケットのプロトコルタイプを指示するための指示メッセージ、関連ベアラによってベアラされるデータパケットが転送されたデータパケットであるか否かを指示するための指示メッセージ、関連ベアラが転送に使用されることを指示するための指示情報のうちの少なくとも１つを含む、請求項１１に記載の方法。
【請求項１３】
前記ＩＡＢノードが前記ベアラ構成情報を取得する前に、
前記ＩＡＢノードは、無線リソース制御ＲＲＣメッセージ又はＦ１メッセージを通じて、ＩＡＢノード指示情報であるか、前記ＩＡＢノードのために前記ベアラ構成情報を要求するための指示情報を集中型ユニットＣＵに送信するステップをさらに含む、請求項１１に記載の方法。
【請求項１４】
前記ＩＡＢノードが前記ベアラ構成情報を取得するステップは、
前記ＩＡＢノードは、ＲＲＣメッセージを通じて集中型ユニットＣＵから前記ベアラ構成情報を取得するか、又は、
前記ＩＡＢノードは、Ｆ１メッセージを通じて集中型ユニットＣＵから前記ベアラ構成情報を取得するステップを含む、請求項１１に記載の方法。
【請求項１５】
前記ＲＲＣメッセージ又は前記Ｆ１メッセージには、ＩＡＢノード識別子情報が含まれる、請求項１３に記載の方法。
【請求項１６】
データパケットの受信方法であって、
無線アクセスバックホール統合伝送リンクＩＡＢノードは、子ＩＡＢノード又は親ＩＡＢノード又はＩＡＢ  ｄｏｎｏｒドナーである指定ＩＡＢノードによって送信されたデータパケットを受信するステップと、
前記ＩＡＢノードは、取得したベアラ構成情報に従って前記データパケットを処理するステップと、を含む、データパケットの受信方法。
【請求項１７】
取得したベアラ構成情報に従って前記データパケットを処理するステップは、
前記ＩＡＢノードは、前記ベアラ構成情報に従って、前記データパケットに対してアダプテーションレイヤ解析を実行するか否かを判定するか、
前記ＩＡＢノードは、前記ベアラ構成情報に従って、前記データパケットに対してＦ１ＡＰプロトコル層処理を実行するか否かを判定するか、
前記ＩＡＢノードは、前記ベアラ構成情報に従って、前記データパケットに対してＧＴＰ−Ｕプロトコル層処理を実行するか否かを判定するか、又は、
前記ＩＡＢノードは、前記ベアラ構成情報に従って、前記データパケットに対してＰＤＣＰプロトコル層処理を実行するか否かを判定するステップを含む、請求項１６に記載の方法。
【請求項１８】
無線アクセスバックホール統合伝送リンクＩＡＢノードに配置される、データパケットの送信装置であって、
データパケットにアダプテーションレイヤヘッダを追加するように構成されている設定モジュールと、
コントロールプレーンシグナリング又はユーザープレーンのデータパケットである前記データパケットをネクストホップＩＡＢノードに送信するように構成されている送信モジュールと、を備える、データパケットの送信装置。
【請求項１９】
前記ＩＡＢノードの識別子情報を取得するように構成されている第１取得モジュールをさらに備え、
前記設定モジュールは、さらに、追加された前記アダプテーションレイヤヘッダに前記識別子情報を設定するように構成されている、請求項１８に記載の装置。
【請求項２０】
前記取得モジュールは、さらに、
無線リソース制御ＲＲＣメッセージを通じて集中型ユニットＣＵから前記識別子情報を取得するか、
Ｆ１メッセージを通じて前記識別子情報を取得するか、又は、
メディアアクセス制御ユニットＭＡＣ  ＣＥを通じて親ＩＡＢノードから前記識別子情報を取得するように構成されている、請求項１９に記載の装置。
【請求項２１】
Ｆ１メッセージを通じて集中型ユニットＣＵからＩＡＢノード指示情報を取得するように構成されている第２取得モジュールをさらに備える、請求項１８に記載の装置。
【請求項２２】
無線アクセスバックホール統合伝送リンクＩＡＢノードに配置されるデータパケットの送信装置であって、
ベアラ構成情報を取得し、データパケットを送信するためのベアラを前記ベアラ構成情報に従って決定するように構成されている取得モジュールと、
前記ベアラを介して、子ＩＡＢノード又は親ＩＡＢノード又はＩＡＢドナーに前記データパケットを送信するように構成されている送信モジュールと、を備えるデータパケットの送信装置。
【請求項２３】
前記ベアラ構成情報は、
ＤＲＢ  ＩＤ又はＳＲＢ  ＩＤを含むベアラ識別子、アダプテーションレイヤの解析要否を指示するための指示情報、Ｆ１ＡＰカプセル化を指示するための指示情報、ＧＴＰ−Ｕカプセル化を指示するための指示情報、ＰＤＣＰ処理を指示するための指示情報、関連ベアラによってベアラされるデータパケットのプロトコルタイプを指示するための指示メッセージ、関連ベアラによってベアラされるデータパケットが転送されたデータパケットであるか否かを指示するための指示メッセージ、前記コントロールプレーンシグナリング又はユーザープレーンのデータパケットを転送するために使用されることを指示するための指示情報のうちの少なくとも１つを含む、請求項２２に記載の装置。
【請求項２４】
メッセージを送信するのが前記ＩＡＢノードであることを集中型ユニットＣＵに指示するＩＡＢノード指示情報であるか、前記ＩＡＢノードのために前記ベアラ構成情報を要求するための指示情報を、無線リソース制御ＲＲＣメッセージ又はＦ１メッセージを通じて、集中型ユニットＣＵに送信するように構成されている要求モジュールをさらに備える、請求項２２に記載の装置。
【請求項２５】
前記取得モジュールは、さらに、
ＲＲＣメッセージを通じて集中型ユニットＣＵから前記ベアラ構成情報を取得するか、Ｆ１メッセージを通じて集中型ユニットＣＵから前記ベアラ構成情報を取得するように構成されている、請求項２２に記載の装置。
【請求項２６】
無線アクセスバックホール統合伝送リンクＩＡＢノードに配置される、データパケットの受信装置であって、
子ＩＡＢノード又は親ＩＡＢノード又はＩＡＢドナーである指定ＩＡＢノードによって送信されたデータパケットを受信するように構成されている受信モジュールと、
取得したベアラ構成情報に従って前記データパケットを処理するように構成されている処理モジュールと、を備えるデータパケットの受信装置。
【請求項２７】
前記処理モジュールは、
前記データパケットに対してアダプテーションレイヤ解析を実行するか否かを前記ベアラ構成情報に従って判定するか、前記データパケットに対してＦ１ＡＰプロトコル層処理を実行するか否かを前記ベアラ構成情報に従って判定するか、前記データパケットに対してＧＴＰ−Ｕプロトコル層処理を実行するか否かを前記ベアラ構成情報に従って判定するか、又は前記データパケットに対してＰＤＣＰプロトコル層処理を実行するか否かを前記ベアラ構成情報に従って判定するように構成されている請求項２６に記載の装置。
【請求項２８】
第１無線アクセスバックホール統合伝送リンクＩＡＢノード及び第２ＩＡＢノードを備えるデータパケットの伝送システムであって、
前記第１ＩＡＢノードは、データパケットにアダプテーションレイヤヘッダを追加し、前記データパケットを前記第２ＩＡＢノードに送信するように構成されており、
前記第２ＩＡＢノードは、前記アダプテーションレイヤヘッダを含むデータパケットを受信するように構成されており、
前記データパケットはコントロールプレーンシグナリング又はユーザープレーンのデータパケットである、データパケットの伝送システム。
【請求項２９】
第１無線アクセスバックホール統合伝送リンクＩＡＢノード及び第２ＩＡＢノードを備えるデータパケットの伝送システムであって、
前記第１ＩＡＢノードは、ベアラ構成情報を取得し、データパケットを送信するためのベアラを前記ベアラ構成情報に従って決定し、前記ベアラを介して前記第２ＩＡＢノードに前記データパケットを送信するように構成されており、
前記第２ＩＡＢノードは、前記第１ノードのＩＡＢノードによって送信された前記データパケットを受信し、前記ベアラ構成情報を取得し、前記ベアラ構成情報に従って前記データパケットを処理するように構成されており、
前記第２ＩＡＢノードは、前記第１ＩＡＢノードの子ＩＡＢノード又は親ＩＡＢノードである、データパケットの伝送システム。
【請求項３０】
無線アクセスバックホール統合伝送リンクＩＡＢノード及びＩＡＢドナーを備えるデータパケットの伝送システムであって、
前記ＩＡＢノードは、ベアラ構成情報を取得し、データパケットを送信するためのベアラを前記ベアラ構成情報に従って決定し、前記ベアラを介して前記データパケットを前記ＩＡＢドナーに送信するように構成されており、
前記ＩＡＢドナーは、前記ＩＡＢノードによって送信された前記データパケットを受信するように構成されている、データパケットの伝送システム。
【請求項３１】
実行されると請求項１〜１０、１１〜１５、又は１６、１７のいずれか１項に記載の方法を実行するように構成されているコンピュータプログラムが記憶されている記憶媒体。
【請求項３２】
メモリ及びプロセッサを備え、前記メモリには、コンピュータプログラムが記憶されており、前記プロセッサは、前記コンピュータプログラムを実行することによって、請求項１〜１０、１１〜１５又は１６、１７のいずれか１項に記載の方法を実行するように構成されている、電子装置。
【発明の詳細な説明】
【技術分野】
【０００１】
本出願は、２０１８年６月２１日に中国特許庁に提出された、出願番号２０１８１０６４６１３９．１の中国特許出願の優先権を主張し、この出願の全内容は、引用により本出願に組み込まれている。
【０００２】
本開示は、通信分野に関し、具体的には、データパケットの送信方法、受信方法及び装置、ならびにデータパケットの伝送システムに関する。
【背景技術】
【０００３】
ＬＴＥに比べて、新しい無線（Ｎｅｗ  Ｒａｄｉｏ、ＮＲ）は、より大きい利用可能な帯域幅、大規模多入力多出力（Ｍａｓｓｉｖｅ  Ｍｕｌｔｉｐｌｅ−Ｉｎｐｕｔ  Ｍｕｌｔｉｐｌｅ−Ｏｕｔｐｕｔ、ｍａｓｓｉｖｅ  ＭＩＭＯ）、及びｍｕｌｔｉ−ｂｅａｍの使用を提供し、無線アクセスバックホール統合伝送リンク（ｉｎｔｅｇｒａｔｅｄ  ａｃｃｅｓｓ  ａｎｄ  ｂａｃｋｈａｕｌ  ｌｉｎｋｓ、ＩＡＢと略される）の研究・応用が可能になる。
【０００４】
無線バックホールリンクと中継リンクを介して、伝送ネットワークの高密度配置を増やすことなく、高密度のＮＲセルネットワークをより柔軟に配置できる。ユーザー機器ＵＥの無線アクセスをサポートし、ユーザープレーン又はコントロールプレーンのデータパケットの無線バックホールを実行するアクセスノードを、ＩＡＢノード（ＩＡＢ  ｎｏｄｅ）と呼ばれる。ＵＥがコアネットワークに接続するようにＩＡＢノードに無線バックホール機能を提供するアクセスノードは、ＩＡＢドナー（ＩＡＢ  ｄｏｎｏｒ）と呼ばれる。ＩＡＢノード（子ＩＡＢノード、ｃｈｉｌｄ  ＩＡＢ  ｎｏｄｅとも呼ばれる）は、エアインターフェースを介して別のＩＡＢノード（親ＩＡＢノード、ｐａｒｅｎｔ  ＩＡＢ  ｎｏｄｅとも呼ばれる）又はＩＡＢ  ｄｏｎｏｒにアクセスできる。
【０００５】
アクセスノード同士では、無線バックホールリンクｂａｃｋｈａｕｌ  ｌｉｎｋを介してユーザープレーン又はコントロールプレーンのデータパケットを伝送することができる。Ａｃｃｅｓｓ  ｌｉｎｋとｂａｃｋｈａｕｌ  ｌｉｎｋは、同じ又は異なる搬送周波数を使用できる。
【０００６】
また、ユーザープレーン又はコントロールプレーンのデータパケットは、アクセスノードとコアネットワーク要素間のマルチホップ中継バックホールリンクを介して伝送できる。
【０００７】
図１は、関連技術における集中型ユニット（Ｃｅｎｔｒａｌｉｚｅｄ  Ｕｎｉｔ、ＣＵ）／分散型ユニット（Ｄｉｓｔｒｉｂｕｔｅｄ  Ｕｎｉｔ、ＤＵ）が分離していないＩＡＢ配置シナリオの模式図である。図１に示すように、ＵＥの上りリンクデータパケットは、２つのＩＡＢ  ｎｏｄｅを介してＩＡＢ  ｄｏｎｅｒに送信されてから、５Ｇコアネットワーク（ＮＧＣ）に送信され得る。
【０００８】
一方、ＣＵ／ＤＵ分離配置をサポートすることは、ＮＲの重要な技術的機能の１つであり、つまり、ｇＮＢはＣＵとＤＵの論理機能で構成され、ＣＵ／ＤＵ分離配置シナリオでは、ＩＡＢをサポートする模式図は図２に示されており、関連技術におけるＣＵ／ＤＵが分離したＩＡＢ配置シナリオの模式図である。図２に示すように、ＩＡＢノードはＤＵのような機能とモバイル端末（Ｍｏｂｉｌｅ  Ｔｅｒｍｉｎａｌ、ＭＴ）のような機能を持つことができ、それぞれＤＵ  ｐａｒｔとＭＴ  ｐａｒｔとも呼ばれる。
【０００９】
このうち、ＭＴ  ｐａｒｔはＵＥのような機能である。図２の５ＧＣは５Ｇコアネットワークを表し、Ｆ１とＮＧはいずれもインターフェースを表す。また、ＣＵは、コントロールプレーン（ＣＵ−ＣＰとも呼ばれる）とユーザープレーン（ＣＵ−ＵＰとも呼ばれる）の論理機能で構成されてもよい。しかしながら、関連技術では、いかに上記ＩＡＢアーキテクチャを使用して制御シグナリングを中継転送して、制御シグナリングを正確に送受信できるようにするかについては、効果的な解決策はなかった。
【発明の概要】
【発明が解決しようとする課題】
【００１０】
本開示の実施例は、いかに上記ＩＡＢアーキテクチャを使用して制御シグナリングを中継転送して、制御シグナリングを正確に送受信できるようにするかについては、効果的な解決策はなかったという関連技術の問題を少なくとも解決するために、データパケットの送信方法、受信方法及び装置、ならびにデータパケットの伝送システムを提供する。
【課題を解決するための手段】
【００１１】
本開示の一実施例によれば、無線アクセスバックホール統合伝送リンクＩＡＢノードは、コントロールプレーンシグナリング又はユーザープレーンのデータパケットであるデータパケットにアダプテーションレイヤヘッダを追加し、該データパケットをネクストホップＩＡＢノードに送信するステップを含むデータパケットの送信方法を提供する。
【００１２】
本開示の別の実施例によれば、無線アクセスバックホール統合伝送リンクＩＡＢノードは、ベアラ構成情報を取得し、データパケットを送信するためのベアラを該ベアラ構成情報に従って決定するステップと、
前記ＩＡＢノードは、前記ベアラを介して前記子ＩＡＢノード又は親ＩＡＢノード又はＩＡＢドナーに前記データパケットを送信するステップと、を含むデータパケットの送信方法を提供する。
【００１３】
本開示の別の実施例によれば、無線アクセスバックホール統合伝送リンクＩＡＢノードは、指定されたＩＡＢノードによって送信されたデータパケットを受信するステップと、
前記ＩＡＢノードは、ベアラ構成情報を取得し、該ベアラ構成情報に従って前記データパケットを処理するステップと、を含むデータパケットの受信方法を提供する。
【００１４】
本開示の別の実施例によれば、無線アクセスバックホール統合伝送リンクＩＡＢノードに配置されるデータパケットの送信装置であって、データパケットにアダプテーションレイヤヘッダを追加するように構成されている設定モジュールと、
コントロールプレーンシグナリング又はユーザープレーンのデータパケットである前記データパケットをネクストホップＩＡＢノードに送信するように構成されている送信モジュールと、を備える、データパケットの送信装置を提供する。
【００１５】
本開示の別の実施例によれば、無線アクセスバックホール統合伝送リンクＩＡＢノードに配置されるデータパケットの送信装置であって、
ベアラ構成情報を取得し、データパケットを送信するためのベアラを該ベアラ構成情報に従って決定するように構成されている取得モジュールと、
前記ベアラを介して子ＩＡＢノード又は親ＩＡＢノード又はＩＡＢドナーに前記データパケットを送信するように構成されている送信モジュールと、を備えるデータパケットの送信装置を提供する。
【００１６】
本開示の別の実施例によれば、無線アクセスバックホール統合伝送リンクＩＡＢノードに配置されるデータパケットの受信装置であって、
子ＩＡＢノード又は親ＩＡＢノード又はＩＡＢ  ｄｏｎｏｒドナーである指定ＩＡＢノードによって送信されたデータパケットを受信するように構成されている受信モジュールと、
取得したベアラ構成情報に従って前記データパケットを処理するように構成されている処理モジュールと、を備えるデータパケットの受信装置を提供する。
【００１７】
本開示の別の実施例によれば、第１無線アクセスバックホール統合伝送リンクＩＡＢノード及び第２ＩＡＢノードを備えるデータパケットの伝送システムであって、
前記第１ＩＡＢノードは、データパケットにアダプテーションレイヤヘッダを追加し、該データパケットを前記第２ＩＡＢノードに送信するように構成されており、
前記第２ＩＡＢノードは、前記アダプテーションレイヤヘッダを含むデータパケットを受信するように構成されており、
前記データパケットは、コントロールプレーンシグナリング又はユーザープレーンのデータパケットである、データパケットの伝送システムを提供する。
【００１８】
本開示の別の実施例によれば、第１無線アクセスバックホール統合伝送リンクＩＡＢノード及び第２ＩＡＢノードを備えるデータパケットの伝送システムであって、
前記第１ＩＡＢノードは、ベアラ構成情報を取得し、データパケットを送信するためのベアラを該ベアラ構成情報に従って決定し、前記ベアラを介して前記第２ＩＡＢノードに前記データパケットを送信するように構成されており、
前記第２ＩＡＢノードは、前記第１ノードのＩＡＢノードによって送信された前記データパケットを受信し、前記ベアラ構成情報を取得し、前記ベアラ構成情報に従って前記データパケットを処理するように構成されており、
前記第２ＩＡＢノードは、前記第１ＩＡＢノードの子ＩＡＢノード又は親ＩＡＢノードである、データパケットの伝送システムを提供する。
【００１９】
本開示の別の実施例によれば、無線アクセスバックホール統合伝送リンクＩＡＢノード及びＩＡＢドナーを備えるデータパケットの伝送システムであって、
前記ＩＡＢノードは、ベアラ構成情報を取得し、データパケットを送信するためのベアラを該ベアラ構成情報に従って決定し、前記ベアラを介して前記データパケットを前記ＩＡＢドナーに送信するように構成されており、
前記ＩＡＢドナーは、前記ＩＡＢノードによって送信された前記データパケットを受信するように構成されている、データパケットの伝送システムを提供する。
【００２０】
本開示のさらなる実施例によれば、実行されると上記のいずれか１つの実施例に記載の方法を実行するように構成されているコンピュータプログラムが記憶されている記憶媒体をさらに提供する。
【００２１】
本開示のさらなる実施例によれば、メモリ及びプロセッサを備え、前記メモリには、コンピュータプログラムが記憶されており、前記プロセッサは、前記コンピュータプログラムを実行することによって、上記のいずれか１つの実施例に記載の方法を実行するように構成されている、電子装置をさらに提供する。
【図面の簡単な説明】
【００２２】
ここに説明する図面は、本開示のさらなる理解を提供するものであり、本出願の一部を構成し、本開示の例示的な実施例及びそれらの説明は、本開示を解釈するために使用され、本開示に対する不適切な限定とならない。
【図１】関連技術におけるＣＵ／ＤＵが分離していないＩＡＢ配置シナリオの模式図である。
【図２】関連技術におけるＣＵ／ＤＵが分離したＩＡＢ配置シナリオの模式図である。
【図３】本発明の実施例によるデータパケットの送信方法のモバイル端末のハードウェア構造のブロック図である。
【図４】本発明の実施例によるデータパケットの送信方法のフローチャートである。
【図５】本発明の実施例によるＩＡＢ配置シナリオの模式図である。
【図６】本発明の実施例による別のＩＡＢ配置シナリオの模式図である。
【図７】本発明の実施例による別のＩＡＢ配置シナリオの模式図である。
【図８】本発明の実施例による別のデータパケットの送信方法のフローチャートである。
【図９】本発明の実施例によるデータパケットの受信方法のフローチャートである。
【図１０】本発明の実施例による別のＩＡＢ配置シナリオの模式図である。
【図１１】本発明の実施例による別のＩＡＢ配置シナリオの模式図である。
【図１２】本発明の実施例による別のＩＡＢ配置シナリオの模式図である。
【図１３】本発明の実施例によるデータパケットの送信装置の構造ブロック図である。
【図１４】本発明の実施例による別のデータパケットの送信装置の構造ブロック図である。
【図１５】本発明の実施例によるデータパケットの受信装置の構造ブロック図である。
【図１６】本発明の実施例によるデータパケットの伝送システムの構造図である。
【図１７】本発明の実施例による別のデータパケットの伝送システムの構造図である。
【図１８】本発明の実施例による別のデータパケットの伝送システムの構造図である。
【発明を実施するための形態】
【００２３】
以下、図面を参照しながら実施例にて本開示を詳細に説明する。なお、矛盾しない限り、本出願における実施例及び実施例の特徴を組み合わせることができる。
【００２４】
なお、本開示の明細書、特許請求の範囲及び上記の図面における「第１」及び「第２」という用語は、類似する対象を区別するために使用され、必ずしも特定の順番及び優先順位を説明するとは限らない。
【００２５】
実施例１
本出願の実施例１による方法の実施例は、モバイル端末、コンピュータ端末、又は類似した計算装置で実行することができる。モバイル端末上で実行する例では、図３は、本発明の実施例によるデータパケットの送信方法のモバイル端末のハードウェア構造のブロック図である。
【００２６】
図３に示すように、モバイル端末３０は、１つ又は複数（図３では、１つのみが示されている）のプロセッサ３０２（プロセッサ３０２は、マイクロプロセッサＭＣＵ又はプログラマブルロジックデバイスＦＰＧＡなどの処理装置を含み得るが、これらに限定されない）及びデータを記憶するためのメモリ３０４を含み得、また、上記モバイル端末は、通信機能用の伝送機器３０６及び入出力機器３０８をさらに含んでもよい。当業者が理解できるように、図３に示される構造は単なる例示であり、上記モバイル端末の構造を限定するものではない。たとえば、モバイル端末３０は、図３に示されるものよりも多い又は少ない構成要素を含むか、又は図３に示されるものとは異なる構成を有してもよい。
【００２７】
メモリ３０４は、本発明の実施例におけるデータパケットの送信方法に対応するコンピュータプログラムなどのコンピュータプログラム、たとえばアプリケーションソフトウェアのソフトウェアプログラム及びモジュールを記憶することに使用され得、プロセッサ３０２は、メモリ３０４に記憶されたコンピュータプログラムを実行することによって、さまざまな機能アプリケーション及びデータ処理を実行し、つまり、上記方法を実現する。メモリ３０４は、高速ランダムアクセスメモリを含むことができ、また、１つ又は複数の磁気記憶装置、フラッシュメモリ、又は他の不揮発性ソリッドステートメモリなどの不揮発性メモリを含むこともできる。
【００２８】
いくつかの例では、メモリ３０４は、プロセッサ３０２に対して遠隔に設置されるメモリをさらに含み、これらの遠隔メモリは、ネットワークを介してモバイル端末３０に接続され得る。上記ネットワークの例には、インターネット、企業イントラネット、ローカルエリアネットワーク、モバイル通信ネットワーク、及びそれらの組み合わせが含まれるが、これらに限定されない。
【００２９】
伝送機器３０６は、ネットワークを介してデータを送受信することに用いられる。上記ネットワークの具体例としては、モバイル端末３０の通信事業者が提供する無線ネットワークが挙げられる。一例では、伝送機器３０６は、基地局を介して他のネットワーク機器に接続されてインターネットと通信し得るネットワークインターフェースコントローラ（Ｎｅｔｗｏｒｋ  Ｉｎｔｅｒｆａｃｅ  Ｃｏｎｔｒｏｌｌｅｒ、略してＮＩＣ）を含む。一例では、伝送機器３０６は、無線方式でインターネットと通信するための無線周波数（Ｒａｄｉｏ  Ｆｒｅｑｕｅｎｃｙ、略してＲＦ）モジュールであってよい。
【００３０】
本実施例では、上記モバイル端末上で実行されているデータパケットの送信方法を提供し、図４は、本発明の実施例によるデータパケットの送信方法のフローチャートである。図４に示すように、このプロセスは、
ＩＡＢノードは、データパケットにアダプテーションレイヤヘッダを追加するステップＳ４０２と、
該データパケットをネクストホップＩＡＢノードに送信するステップＳ４０４と、を含む。
【００３１】
ここで、前記データパケットはコントロールプレーンシグナリング又はユーザープレーンのデータパケットである。
【００３２】
また、ＩＡＢノードは、自体の識別子情報を取得することにより、追加されたアダプテーションレイヤヘッダを設定できる。なお。ＩＡＢが自体の識別子情報を取得することにより追加されたアダプテーションレイヤヘッダを設定する場合、前記データパケットは、現在のＩＡＢノードによって生成されたコントロールプレーンシグナリング又はユーザープレーンのデータパケットである。
【００３３】
また、前記ＩＡＢノードは次の方式で前記識別子情報を取得する。前記ＩＡＢノードは、無線リソース制御ＲＲＣメッセージを通じて集中型ユニットＣＵから前記識別子情報を取得するか、Ｆ１メッセージを通じて前記識別子情報を取得するか、又は、メディアアクセス制御エッジ機器ＭＡＣ  ＣＥを通じて親ＩＡＢノードから前記識別子情報を取得する。
【００３４】
また、ＩＡＢノードが前記データパケットに前記アダプテーションレイヤヘッダを追加する前に、前記ＩＡＢノードはＦ１メッセージを通じてＣＵからＩＡＢノード指示情報を取得し、前記ＩＡＢノード指示情報は、該ＩＡＢノードのラストホップノードがＩＡＢノードであることを示す。
【００３５】
また、ＩＡＢノードが自体のＩＡＢノードを取得しない場合、前記ＩＡＢによって追加されたアダプテーションレイヤヘッダには、ソースＩＡＢノードの識別子情報が含まれ、前記ソースＩＡＢノードは、前記ＩＡＢノードのラストホップＩＡＢノードである。なお、ＩＡＢノードが自体のＩＡＢノードを取得しない場合、前記データパケットは、他のＩＡＢ又はＵＥによって生成されたコントロールプレーンシグナリング又はユーザープレーンのデータパケットからのものである。
【００３６】
また、前記アダプテーションレイヤヘッダは、さらに、フォーマット指示情報、指定された情報の情報ドメインが存在するか否かを指示するための指示情報、中継指示情報、プロトコルタイプ指示情報、プロトコル層処理の実行要否又は実行済みを指示するための指示情報、ＵＥ識別子タイプを指示するための指示情報、ＵＥ識別子とＭＴ識別子の区別を指示するための指示情報、データパケットの生成ソースを指示するための指示情報を少なくとも含む。
【００３７】
なお、他の必要な情報、たとえば、ＵＥ識別子情報、ＩＡＢノードのＭＴ識別子情報、ターゲットノード情報、ベアラ識別子、論理チャネル識別子、ルーティングパス情報、サービス品質ＱｏＳ情報、汎用パケット無線サービスのトンネルプロトコル（Ｇｅｎｅｒａｌ  Ｐａｃｋｅｔ  Ｒａｄｉｏ  Ｓｅｒｖｉｃｅ  Ｔｕｎｎｅｌｉｎｇ  Ｐｒｏｔｏｃｏｌ、ＧＴＰ）トンネル情報、Ｆ１インターフェイスアクセスポイントアイデンティテ（Ｆ１  Ａｃｃｅｓｓ  Ｐｏｉｎｔ  Ｉｄｅｎｔｉｔｙ、Ｆ１ＡＰ  ＩＤ）情報、コントロールプレーン指示情報、ユーザープレーン指示情報も、本実施例の保護範囲に属する。
【００３８】
また、ＱｏＳ情報には、サービス品質クラス識別子（ＱｏＳ  Ｃｌａｓｓ  Ｉｄｅｎｔｉｆｉｅｒ、ＱＣＩ）、ＱｏＳフロー識別子（Ｑｕａｌｉｔｙ  ｏｆ  Ｓｅｒｖｉｃｅ  ｆｌｏｗ  Ｉｄｅｎｔｉｆｉｅｒ、ＱＦＩ）、第５世代移動通信サービス品質インジケーター（５ｔｈ−Ｇｅｎｅｒａｔｉｏｎ  ＱｏＳ  Ｉｎｄｉｃａｔｏｒ、５ＱＩ）、差別化サービスコードポイント（Ｄｉｆｆｅｒｅｎｔｉａｔｅｄ  Ｓｅｒｖｉｃｅｓ  Ｃｏｄｅ  Ｐｏｉｎｔ、ＤＳＣＰ）、サービスのタイプ（Ｔｙｐｅ  ｏｆ  Ｓｅｒｖｉｃｅ、ＴＯＳ）情報が含まれるが、これらに限定されない。
【００３９】
具体的には、フォーマット指示情報は、ロングフォーマット情報又はショートフォーマット情報を含む。ショートフォーマットは、このアダプテーションレイヤヘッダにＵＥ識別子、ベアラ識別子、ターゲットノード情報などの情報が含まれていないことを示す。
【００４０】
具体的には、指定された情報の情報ドメインが存在するか否かを指示するための指示情報には、ソースＩＡＢノード識別子情報ドメインが存在するか否かを指示するための指示情報、ターゲット情報ドメインが存在するか否かを指示するための指示情報、ＵＥ  ＩＤドメインが存在するか否かを指示するための指示情報、ベアラ識別子ドメインが存在するか否かを指示するための指示情報、ＵＥベアラドメインが存在するか否かを指示するための指示情報、及びＱｏＳ情報ドメインが存在するか否かを指示するための指示情報が含まれる。
【００４１】
具体的には、プロトコルタイプ指示情報は、ＲＲＣ指示情報及びＦ１ＡＰ指示情報を含むが、これらに限定されない。
【００４２】
具体的には、プロトコル層処理の実行要否又は実行済みを指示するための指示情報には、Ｆ１ＡＰプロトコル層処理の実行要否又は実行済みを指示するための指示情報、ＧＴＰユーザープレーンのＧＴＰ−Ｕプロトコル層処理の実行要否又は実行済みを指示するための指示情報、及びパケットデータ収束プロトコル（Ｐａｃｋｅｔ  Ｄａｔａ  Ｃｏｎｖｅｒｇｅｎｃｅ  Ｐｒｏｔｏｃｏｌ、ＰＤＣＰ）プロトコル層処理の実行要否又は実行済みを指示するための指示情報のうちの少なくとも１つが含まれる。
【００４３】
具体的には、データパケットの生成ソースを指示するための指示情報には、データパケットがＵＥによって生成されることを指示するための指示情報、及びデータパケットがＩＡＢノードによって生成されることを指示するための指示情報の少なくとも１つが含まれる。
【００４４】
また、転送されたデータパケットであることが中継指示情報により示された場合、ＩＡＢノードは受信したアダプテーションレイヤヘッダにおける情報に従ってルーティング転送を実行し、転送されたデータパケットではないことが中継指示情報により示された場合、ＩＡＢノードはアダプテーションレイヤヘッダのコンテンツを再入力し、中継指示情報の指示ドメインを変更する。
【００４５】
具体的には、ＩＡＢノード自体によって生成されたデータパケットの場合、アダプテーションレイヤヘッダ情報は次の方式で入力され得る。
【００４６】
１．ＩＡＢノードはターゲット情報とＵＥ識別子情報を入力する。ＩＡＢノードへのＵＥ識別子の送信を強化することを必要とする場合がある。
【００４７】
２．親ＩＡＢノードはターゲット情報とＵＥ  ＩＤ情報を入力する。ｉｎｔｅｒ−ＣＵシナリオでは、親ＩＡＢノードが入力するターゲット情報が正しくない場合がある。
【００４８】
３．ＩＡＢノードはターゲット情報を入力し、親ＩＡＢノードはＵＥ  ＩＤ情報を入力する。
【００４９】
また、現在のＩＡＢノードの識別子情報又はソースＩＡＢノードの識別子情報には、前記ＩＡＢノードのモバイル端末のＭＴ部分を識別するための第１識別子、及び前記ＩＡＢノード又はＩＡＢドナーのＤＵ、ＣＵ又は基地局部分を識別するための第２識別子のうちの１つが含まれる。
【００５０】
また、前記第１識別子には、セル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ、Ｃ−ＲＮＴＩ）、Ｃ−ＲＮＴＩが割り当てられたノード又はセル識別子、Ｆ１ＡＰ  ＩＤ、Ｘ２ＡＰ  ＩＤ、ＧＴＰトンネルエンドポイント識別子（Ｔｕｎｎｅｌ  Ｅｎｄ  ｐｏｉｎｔ  Ｉｄｅｎｔｉｆｉｅｒ、ＴＥＩＤ）、ＤＵ識別子、セル識別子、ＰＣＩ及び第３識別子のうちの少なくとも１つが含まれる。
【００５１】
具体的には、Ｃ−ＲＮＴＩ識別子には、Ｃ−ＲＮＴＩ＋セル識別子、Ｃ−ＲＮＴＩ＋基地局識別子、及びＣ−ＲＮＴＩ＋ＤＵ識別子のうちの少なくとも１つが含まれる。
【００５２】
また、前記第２識別子には、ＤＵ識別子、ＣＵ識別子、基地局識別子、セル識別子、物理層セル識別子（ｐｈｙｓｉｃａｌ−ｌａｙｅｒ  Ｃｅｌｌ  ｉｄｅｎｔｉｔｙ、ＰＣＩ）、インターネットプロトコル（Ｉｎｔｅｒｎｅｔ  Ｐｒｏｔｏｃｏｌ、ＩＰ）アドレス及び第３識別子のうちの少なくとも１つが含まれる。
【００５３】
また、前記第３識別子はＣＵによって割り当てられた識別子、又はＣＵ−ＣＰによって割り当てられた識別子、又は第３識別子はＣＵ−ＵＰによって割り当てられた識別子、又は親ＩＡＢノードによって割り当てられた識別子である。
【００５４】
また、前記データパケットがコントロールプレーンシグナリングである場合、前記コントロールプレーンシグナリングは、ソースノードの識別子情報又はターゲットノードの識別子情報を含む。なお、ソースノードの識別子情報は、ラストホップＩＡＢノード又はソースＩＡＢノードの情報であってもよく、ターゲットノードの識別子情報は、現在のＩＡＢノードの後に接続されたＩＡＢノードの識別子情報又はＩＡＢドナーの識別子情報であってもよい。
【００５５】
また、本実施例は、ＩＡＢ  ｎｏｄｅが対応するプロトコル層処理（Ｆ１ＡＰ又はＲＲＣ又はＰＤＣＰ又はＧＴＰ?Ｕを含むことができる）を実行するか否かを判定する方法も提供する。本実施例の方法は、すべてのＩＡＢプロトコルスタックアーキテクチャに適用できる。
【００５６】
方法１
ＩＡＢノードは、データパケットがＵＥから受信されるか、ＩＡＢノードから受信されるかに基づいて判定し、ＵＥから受信される場合は、Ｆ１ＡＰ又はＧＴＰ−Ｕカプセル化が必要である。この方法では、ＩＡＢノードは、ＵＥから受信したデータパケットとＩＡＢノードから受信したデータパケットを区別できる必要がある。以下の方法によって区別できる。
【００５７】
ＩＡＢノードは、ＲＲＣメッセージを通じてＩＡＢノード指示情報及びＩＡＢノード識別子情報をＣＵに送信し、次に、ＣＵは、Ｆ１シグナリングを介して該ＩＡＢノードのｐａｒｅｎｔ  ＩＡＢ  ｎｏｄｅにＩＡＢノード指示情報を送信する。
【００５８】
ランダムアクセスのプロセスにおいて、ＩＡＢノードは、ＩＡＢノード専用の特定のランダムアクセスリソース（たとえば、ｐｒｅａｍｂｌｅ、時間周波数ドメインリソースなど）を使用する。また、ＩＡＢ  ｎｏｄｅは、システムメッセージを通じてこのＩＡＢノード専用の特定のランダムアクセスリソースを取得できる。
【００５９】
ＩＡＢ  ｎｏｄｅは、ＭＡＣ  ＣＥを通じてＩＡＢノード指示情報をｐａｒｅｎｔ  ＩＡＢ  ｎｏｄｅに送信できる。
【００６０】
方法２
ＩＡＢノードから受信したデータパケットの場合、ＩＡＢノードは、アダプテーションレイヤヘッダに指示情報を含ませることができ、アダプテーションレイヤヘッダに含まれる指示情報の内容については、第１実施例における記載を参照すればよい。
【００６１】
方法３
ＩＡＢノードから受信したデータパケットの場合、受信したデータパケットが属するベアラに従って、対応するプロトコル層処理を実行するか否かを判定できる。ＩＡＢノードは、ＲＲＣメッセージ又はＦ１メッセージを通じてＣＵからベアラ構成情報を取得し、受信したデータパケットが属するベアラに従って、対応するプロトコル層処理を実行するか否かを判定することができる。
【００６２】
具体的には、本実施例では、本実施例の技術案を容易に理解するために、以下のシナリオも提供される。
【００６３】
ＩＡＢノードのコントロールプレーン情報（ＲＲＣメッセージ及びＦ１ＡＰメッセージ）がコントロールプレーンＳＲＢを介して転送される場合、ＩＡＢノードがすべてのデータパケットに対してアダプテーションレイヤ処理を実行する場合の方法である。
【００６４】
図５は、本発明の実施例によるＩＡＢ配置シナリオの模式図である。ＩＡＢノードとＩＡＢ  ｄｏｎｅｒ間のプロトコルスタックを図５に示す。図５では、アダプテーションレイヤは、ＩＡＢ  ｎｏｄｅとＩＡＢ  ｄｏｎｏｒ  ＤＵの無線リンク制御（Ｒａｄｉｏ  Ｌｉｎｋ  Ｃｏｎｔｒｏｌ、ＲＬＣ）層の上に配置される。
【００６５】
なお、アダプテーションレイヤは、ＲＬＣ層とメディアアクセス制御（Ｍｅｄｉａ  Ａｃｃｅｓｓ  Ｃｏｎｔｒｏｌ、ＭＡＣ）層との間に配置され、又は、アダプテーションレイヤ機能は、ＲＬＣ層又はＭＡＣ層に配置されるようにしてもよい。
【００６６】
ｄｏｎｏｒ  ＤＵとＣＵ−ＣＰとの間のインターフェース上にもアダプテーションレイヤが存在するようにしてもよく、すなわち、ｄｏｎｏｒ  ＤＵとＣＵ−ＣＰは、対応するアダプテーションレイヤ処理を実行する。特に断らない限り、本実施例では、ｄｏｎｏｒ  ＤＵは、ｄｏｎｏｒ  ＣＵ−ＣＰを指す。
【００６７】
ＣＵのＣＰとＵＰの分離を考慮しない場合、本実施例では、ｄｏｎｏｒ  ＣＵ−ＣＰはｄｏｎｏｒ  ＣＵに置き換えられる。なお、Ｆ１ＡＰプロトコル層の下にストリーム制御伝送プロトコル（Ｓｔｒｅａｍ  Ｃｏｎｔｒｏｌ  Ｔｒａｎｓｍｉｓｓｉｏｎ  Ｐｒｏｔｏｃｏｌ、ＳＣＴＰ）／ＩＰ層が存在し得る。なお、Ｆ１ＡＰとＰＤＣＰプロトコル層の間にＲＲＣプロトコル層が存在しなくてもよい。また、図５のアダプテーションレイヤはｄｏｎｏｒ  ＤＵで終了する。本実施例の方法は、アダプテーションレイヤがｄｏｎｏｒ  ＣＵ／ＣＵ?ＣＰで終了する場合にも適用できる。
【００６８】
なお、本実施例の方法は、図５のアーキテクチャに限定されない。図５では、Ｌ１はプロトコルスタックモデルの物理層を表し、Ｌ２はプロトコルスタックモデルにおけるリンク層を表す。
【００６９】
シナリオ１
データパケットの上りリンク転送（図５のＩＡＢ  ｎｏｄｅ１からＩＡＢ  ｄｏｎｅｒへの転送）
ステップ１ＩＡＢ  ｎｏｄｅ１のＤＵ  ｐａｒｔがＦ１メッセージを生成した後、また、ＩＡＢ  ｎｏｄｅ１がＲＲＣレイヤ処理を実行するか、ＩＡＢ  ｎｏｄｅ１のＭＴ  ｐａｒｔがＲＲＣメッセージを生成する。ＩＡＢ  ｎｏｄｅ１は、ＲＲＣメッセージ又はＦ１メッセージに対してＰＤＣＰレイヤ処理を実行する。また、ＩＡＢノード１によって生成されるＲＲＣ、Ｆ１メッセージには、ソースノードの識別子情報及び／又はターゲットノードの識別子情報が含まれる。
【００７０】
また、ＩＡＢノード１が他のインターフェースコントロールプレーンシグナリング（たとえば、Ｘ２、Ｘｎ、Ｓ１、ＮＧインターフェースシグナリング）を生成する場合、コントロールプレーンシグナリングには、ソースノードの識別子情報及び／又はターゲットノードの識別子情報が含まれる。また、コントロールプレーンシグナリングデータパケットのＰＤＣＰプロトコルデータユニット（Ｐｒｏｔｏｃｏｌ  ＤａｔａＵｎｉｔ、ＰＤＵ）には、プロトコルタイプの指示情報が含まれ、この情報は、それが含むプロトコルタイプを示し、プロトコルタイプには、ＲＲＣ、Ｆ１ＡＰ、Ｘ２ＡＰ、ＸｎＡＰ、Ｓ１ＡＰ、ＮＧＡＰのうちの１つが含まれる。
【００７１】
次に、ＩＡＢ  ｎｏｄｅ１はアダプテーションレイヤ処理を実行し、アダプテーションレイヤヘッダを追加し、アダプテーションレイヤヘッダには、次の情報のうちの１つ又は組み合わせを含み得る。
【００７２】
ソースＩＡＢノード識別子情報、
ＩＡＢノードのＭＴ識別子情報、
ロングフォーマット指示情報、
ショートフォーマット指示情報、
ターゲット情報ドメインが存在するか否かを指示するための指示情報、
ＵＥ  ＩＤドメインが存在するか否かを指示するための指示情報、
ベアラ識別子ドメインが存在するか否かを指示するための指示情報、
ＵＥベアラドメインが存在するか否かを指示するための指示情報、
ＱｏＳ情報ドメインが存在するか否かを指示するための指示情報、
中継指示情報、
ＲＲＣ、Ｆ１ＡＰを含むが、これらに制限されないプロトコルタイプの指示情報、
Ｆ１ＡＰプロトコル層処理の実行要否を指示するための指示情報、
ＧＴＰ−Ｕプロトコル層処理の実行要否を指示するための指示情報、
ＰＤＣＰプロトコル層処理の実行要否を指示するための指示情報、
ＵＥ識別子タイプを指示するための指示情報、
含まれているのがＵＥ識別子であるか、又はＭＴ識別子であるかを指示するための指示情報、
データパケットがＵＥによって生成されたか、ＩＡＢノードによって生成されたかを指示するための指示情報、
ＵＥ識別子情報、ターゲットノード情報、ベアラ識別子、論理チャネル識別子、ルーティングパス情報、サービス品質ＱｏＳ情報、ＧＴＰトンネル情報、Ｆ１ＡＰ  ＩＤ情報、コントロールプレーン指示情報、ユーザープレーン指示情報。
【００７３】
ここで、ノード識別子情報は、ＩＡＢノードのモバイル端末のＭＴ部分を識別するための第１識別子、及び／又は、ＩＡＢノード又はＩＡＢ  ｄｏｎｅｒのＤＵ又はＣＵ又は基地局部分を識別するための第２識別子である。第１識別子には、Ｃ−ＲＮＴＩ、Ｃ−ＲＮＴＩ＋セル識別子、Ｃ−ＲＮＴＩ＋基地局識別子、Ｃ−ＲＮＴＩ＋ＤＵ識別子、Ｆ１ＡＰ  ＩＤ、Ｘ２ＡＰ  ＩＤ、及びＧＴＰ  ＴＥＩＤが含まれるが、これらに限定されない。上記セル識別子、基地局識別子、及びＤＵ識別子は、このＣ−ＲＮＴＩが割り当てられたセル又は基地局又はＤＵの識別子である。第２識別子には、ＤＵ識別子、ＣＵ識別子、基地局識別子、セル識別子、ＰＣＩ、ＩＰアドレス、及び第３識別子が含まれるが、これらに限定されない。以下、いくつかのＩＡＢノード識別子を実現するために使用できるいくつかの方法を例示的に説明する。
【００７４】
方法１
ＩＡＢノードのＭＴ識別子はＦ１ＡＰ  ＩＤ、たとえば、ｇＮＢ−ＣＵ  ＵＥ  Ｆ１  ＡＰ  ＩＤ及び／又はｇＮＢ−ＤＵ  ＵＥ  Ｆ１  ＡＰ  ＩＤである。ＩＡＢノードは、以下の方法を使用して、ＩＡＢ  ｎｏｄｅ１のＭＴ  ｐａｒｔを識別するためのＦ１ＡＰ  ＩＤを取得できる。
【００７５】
１．ＣＵは、ＲＲＣメッセージを通じてＦ１ＡＰ  ＩＤをＩＡＢ  ｎｏｄｅ１のＭＴ  ｐａｒｔに送信する。
【００７６】
２．ＣＵは、Ｆ１シグナリングを介してＦ１  ＡＰ  ＩＤをＩＡＢ  ｎｏｄｅ１に送信する。このＦ１シグナリングは、非ＵＥ関連Ｆ１シグナリング又はＵＥ関連Ｆ１シグナリングであり得る。また、このＦ１シグナリングには、ＩＡＢ  ｎｏｄｅ１のＭＴ  ｐａｒｔを識別するためのＦ１  ＡＰ  ＩＤ及び対応するこのＩＡＢ  ｎｏｄｅ１のＭＴ  ｐａｒｔのＣ−ＲＮＴＩが含まれ得る。また、ＩＡＢ  ｎｏｄｅ１のＭＴ  ｐａｒｔは、ＲＲＣメッセージを通じて、それに対応するＤＵ  ｐａｒｔのｇＮＢ−ＤＵ  ＩＤをＣＵに送信することができる。
【００７７】
３．ＩＡＢ  ｎｏｄｅ２は、Ｆ１シグナリングを介してＦ１  ＡＰ  ＩＤをＩＡＢ  ｎｏｄｅ１に送信する。また、このＦ１シグナリングには、ＩＡＢ  ｎｏｄｅ１のＭＴ  ｐａｒｔを識別するためのＦ１  ＡＰ  ＩＤ及び対応するこのＩＡＢ  ｎｏｄｅ１のＭＴ  ｐａｒｔのＣ−ＲＮＴＩが含まれ得る。また、ＩＡＢ  ｎｏｄｅ１のＭＴ  ｐａｒｔは、ＲＲＣメッセージを通じて、それに対応するＤＵ  ｐａｒｔのｇＮＢ−ＤＵ  ＩＤをＣＵに送信でき、ＣＵは、Ｆ１メッセージを通じてＩＡＢ  ｎｏｄｅ１のＤＵ  ｐａｒｔのｇＮＢ−ＤＵ  ＩＤをＩＡＢ  ｎｏｄｅ２（ＩＡＢ  ｎｏｄｅ１の親ＩＡＢノード）に送信できる。
【００７８】
４．ＩＡＢ  ｎｏｄｅ２は、ＲＲＣメッセージ又はＭＡＣ  ＣＥを通じてＦ１  ＡＰ  ＩＤをＩＡＢ  ｎｏｄｅ１に送信する。
【００７９】
方法２
ＩＡＢノードのＭＴ識別子は、セル識別子（たとえば、ＮＣＧＩ又はＰＣＩ）＋Ｃ−ＲＮＴＩ、又はｇＮＢ−ＤＵ  ＩＤ＋Ｃ−ＲＮＴＩであり、セル識別子又はｇＮＢ−ＤＵ  ＩＤは、ＩＡＢノードの親ＩＡＢノードのセル識別子又はｇＮＢ−ＤＵ  ＩＤであり、すなわち、ＩＡＢノードのＭＴ  ｐａｒｔにＣ−ＲＮＴＩを割り当るＩＡＢノードであり、本実施例の方法の模式図１では、ＩＡＢ  ｎｏｄｅ２のセル識別子又はｇＮＢ−ＤＵ  ＩＤである。
【００８０】
方法３
ＩＡＢノードのＭＴ識別子は、ｇＮＢ−ＤＵ  ＩＤ、つまりＩＡＢ  ｎｏｄｅ１のｇＮＢ−ＤＵ  ＩＤである。
【００８１】
また、ｇＮＢ−ＤＵ＋ｉｎｄｅｘをＩＡＢノードのＭＴ識別子として使用でき、ここで、ｉｎｄｅｘはインデックス番号又はシリアル番号である。また、ＩＡＢ  ｎｏｄｅ１のＭＴ  ｐａｒｔは、ＲＲＣメッセージを通じて、それに対応するＤＵ  ｐａｒｔのｇＮＢ−ＤＵ  ＩＤ及び／又はｉｎｄｅｘをＣＵに送信でき、ＣＵは、Ｆ１メッセージを通じて、ＩＮＢ  ｎｏｄｅ１のＤＵ  ｐａｒｔのｇＮＢ−ＤＵ  ＩＤ及び／又はｉｎｄｅｘをＩＡＢ  ｎｏｄｅ２（ＩＡＢ  ｎｏｄｅ１の親ＩＡＢノード）に送信できる。
【００８２】
方法４
ＩＡＢノードのＭＴ識別子は、ＣＵ−ＣＰ又はＣＵによって割り当てられる。
【００８３】
このような場合、ＩＡＢ  ｎｏｄｅ１は、次の方法でＭＴ識別子を取得できる。ＣＵ−ＣＰは、ＲＲＣメッセージを通じてＩＡＢノードのＭＴ識別子をＩＡＢ  ｎｏｄｅ１のＭＴ  ｐａｒｔに送信し、又は、ＩＡＢ  ｎｏｄｅ２は、このＩＡＢ  ｎｏｄｅのＭＴ識別子を取得した後、ＩＡＢ  ｎｏｄｅ１のＭＴ  ｐａｒｔに送信する。
【００８４】
ＩＡＢ  ｎｏｄｅ２は、以下の方法でＩＡＢ  ｎｏｄｅ１のＭＴ識別子を取得できる。ＣＵ−ＣＰは、Ｆ１メッセージ（たとえば、ＵＥ  ａｓｓｏｃｉａｔｅｄ  Ｆ１メッセージ）を通じてＩＡＢ  ｎｏｄｅ１のＭＴ識別子をＩＡＢ  ｎｏｄｅ２に送信する。
【００８５】
方法５
ＩＡＢ  ｎｏｄｅのＭＴ識別子はＩＡＢ  ｎｏｄｅ２によって割り当てられる。
【００８６】
このような場合、ＩＡＢ  ｎｏｄｅ１は次の方法でＭＴ識別子を取得できる。ＩＡＢ  ｎｏｄｅ２は、ＲＲＣメッセージ又はＭＡＣ  ＣＥを通じてＩＡＢ  ｎｏｄｅ１のＭＴ識別子をＩＡＢ  ｎｏｄｅ１のＭＴ  ｐａｒｔに送信し、又は、ＣＵ−ＣＰはＩＡＢ  ｎｏｄｅ２からＩＡＢ  ｎｏｄｅ１のＭＴ識別子を取得した後、ＲＲＣメッセージを通じてＩＡＢ  ｎｏｄｅ１のＭＴ識別子をＩＡＢ  ｎｏｄｅ１のＭＴ  ｐａｒｔに送信する。
【００８７】
ＣＵ−ＣＰは、次の方法でＩＡＢ  ｎｏｄｅ１のＭＴ識別子を取得できる。ＩＡＢ  ｎｏｄｅ２は、ＵＥ  ａｓｓｏｃｉａｔｅｄ  Ｆ１メッセージなどのＦ１メッセージを通じてＩＡＢ  ｎｏｄｅ１のＭＴ識別子をＣＵ−ＣＰに送信する。
【００８８】
また、上記方法では、ｄｏｎｏｒ  ＤＵは、次の方法でＩＡＢ  ｎｏｄｅ１のＭＴ識別子とＦ１ＡＰ  ＩＤの間のマッピング関係を取得できる。ＣＵ−ＣＰは、たとえばｎｏｎ−ＵＥ  ａｓｓｏｃｉａｔｅｄ  Ｆ１シグナリングを介して、ＩＡＢ  ｎｏｄｅ１のＭＴ識別子とＦ１ＡＰ  ＩＤの間のマッピング関係をｄｏｎｏｒ  ＤＵに送信する。また、新しいＩＡＢ  ｎｏｄｅのＭＴ  ｐａｒｔがＣＵにアクセスし、ＣＵがＦ１ＡＰ  ＩＤとＭＴ識別子をそれに割り当てると、ＣＵはＦ１シグナリングを介してＭＴ識別子とＦ１ＡＰ  ＩＤの間のマッピング関係をｄｏｎｏｒ  ＤＵに送信する。また、コントロールプレーンシグナリングを転送するためのｄｏｎｏｒ  ＣＵとｄｏｎｏｒ  ＤＵ間のＦ１ＡＰメッセージには、ＩＡＢ  ｎｏｄｅ１のＭＴ識別子が含まれている。
【００８９】
ステップ２ＩＡＢ  ｎｏｄｅ２とＩＡＢ  ｎｏｄｅ３は、アダプテーションレイヤヘッダにおける情報に従って、ＩＡＢ  ｎｏｄｅ１によって生成されたＲＲＣ又はＦ１メッセージをｄｏｎｏｒ  ＤＵに転送する。また、ＩＡＢ  ｎｏｄｅ２は、解析により得られたＰＤＣＰ  ＰＤＵについてＦ１ＡＰプロトコル層処理とカプセル化を実行し、次にアダプテーションレイヤ処理とカプセル化を実行する。
【００９０】
ステップ３ｄｏｎｏｒ  ＤＵは、Ｆ１−Ｃインターフェースを介してコントロールプレーン情報をｄｏｎｏｒ  ＣＵ−ＣＰに転送する。
【００９１】
シナリオ２
データパケットの下りリンク転送（図５のＩＡＢ  ｄｏｎｅｒからＩＡＢ  ｎｏｄｅ１への転送）
下りリンクデータ転送のプロセスにおいて、ＩＡＢ  ｎｏｄｅがＳＲＢからｐａｒｅｎｔ  ＩＡＢ  ｎｏｄｅによって送信されたデータパケットを受信した後、ｃｈｉｌｄ  ＩＡＢ  ｎｏｄｅへの転送を続行するか、このコントロールプレーンシグナリングを自ら解析する（つまり、上位のＰＤＣＰレイヤに配信して処理に供し、ＲＲＣメッセージ又はＦ１ＡＰメッセージを含む）かを判定する必要がある。判定方法には以下の２つがある。
【００９２】
方法１．アダプテーションレイヤヘッダにおけるターゲット識別子（たとえば、ｇＮＢ−ＤＵ  ＩＤ）による判定
ｄｏｎｏｒ  ＤＵは、ｄｏｎｏｒ  ＣＵ−ＣＰから受信したデータパケットのＩＰレイヤターゲットＩＰアドレス、ＩＰアドレス、及びＤＵ  ＩＤのマッピング関係に従って、アダプテーションレイヤヘッダに入力するべきターゲット識別子情報を決定でき、又は、ｄｏｎｏｒ  ＣＵ−ＣＰから受信したＦ１ＡＰメッセージには、ターゲット識別子情報が含まれ得る。
【００９３】
図５のｄｏｎｏｒ  ＣＵ−ＣＰがＩＡＢ  ｎｏｄｅ１のＭＴ  ｐａｒｔに送信するＲＲＣメッセージでは、アダプテーションレイヤヘッダに含まれるターゲット情報は、ＩＡＢ  ｎｏｄｅ２の識別子である。ＩＡＢ  ｎｏｄｅ２はこのデータパケットを受信すると、それをＩＡＢ  ｎｏｄｅ１に送信し、ＩＡＢ  ｎｏｄｅ１は、アダプテーションレイヤヘッダを解析した後、それを上位のＰＤＣＰレイヤに配信して処理に供する。
【００９４】
方法２．アダプテーションレイヤヘッダにおけるＩＡＢ  ｎｏｄｅのＭＴ識別子による判定
ｄｏｎｏｒ  ＣＵ−ＣＰがｄｏｎｏｒ  ＤＵに送信したＦ１メッセージには、ＩＡＢ  ｎｏｄｅのＭＴ識別子が含まれ得る。又は、ｄｏｎｏｒ  ＣＵ−ＣＰは、ｄｏｎｏｒ  ＤＵに、Ｆ１ＡＰ  ＩＤとＩＡＢ  ｎｏｄｅのＭＴ識別子の間のマッピング関係を設定し得る。ｄｏｎｏｒ  ＤＵは、アダプテーションレイヤヘッダに入力するべきＩＡＢ  ｎｏｄｅのＭＴ識別子情報を決定する。
【００９５】
図５では、ＩＡＢ  ｎｏｄｅ２がＩＡＢ  ｎｏｄｅのＭＴ識別子に従って、このデータパケットが属するＵＥ又はＩＡＢ  ｎｏｄｅのＭＴ  ｐａｒｔがＩＡＢ  ｎｏｄｅ２によるサービスを受けると判定すると、ＩＡＢ  ｎｏｄｅ２がこのデータパケットを受信すると、それをＩＡＢ  ｎｏｄｅ１に送信し、ＩＡＢ  ｎｏｄｅ１がアダプテーションレイヤヘッダを解析した後、上位のＰＤＣＰレイヤに配信して処理に供する。
【００９６】
ＩＡＢノードのコントロールプレーン情報（ＲＲＣメッセージ及びＦ１ＡＰメッセージ）がコントロールプレーン（つまり、ＳＲＢ）を介して転送される場合、ＩＡＢノードがすべてのデータパケットに対してアダプテーションレイヤ処理を実行する場合の方法である。
【００９７】
図６は、本発明の一実施例による別のＩＡＢ配置シナリオの模式図である。ＩＡＢノードとＩＡＢ  ｄｏｎｅｒ間のプロトコルスタックを図６に示す。
【００９８】
図６では、アダプテーションレイヤはＩＡＢ  ｎｏｄｅとＩＡＢ  ｄｏｎｅｒＤＵのＲＬＣ層の上に配置される。
【００９９】
なお、アダプテーションレイヤは、ＲＬＣ層とＭＡＣ層との間に配置され、又は、アダプテーションレイヤ機能は、ＲＬＣ又はＭＡＣ層に配置されるようにしてもよい。ｄｏｎｏｒ  ＤＵとＣＵ−ＣＰとの間のインターフェース上にもアダプテーションレイヤが存在するようにしてもよく、すなわち、ｄｏｎｏｒ  ＤＵとＣＵ−ＣＰは、対応するアダプテーションレイヤ処理を実行する。
【０１００】
特に断らない限り、本実施例では、ｄｏｎｏｒ  ＣＵは、ｄｏｎｏｒ  ＣＵ−ＣＰを指す。ＣＵのＣＰとＵＰの分離を考慮しない場合、本実施例では、ｄｏｎｏｒ  ＣＵ−ＣＰはｄｏｎｏｒ  ＣＵに置き換えられる。
【０１０１】
なお、Ｆ１ＡＰプロトコル層の下にＳＣＴＰ／ＩＰ層が存在し得る。なお、Ｆ１ＡＰとＰＤＣＰプロトコル層の間にＲＲＣプロトコル層が存在しなくてもよい。また、図６のアダプテーションレイヤはｄｏｎｏｒ  ＤＵで終了する。
【０１０２】
本実施例の方法は、アダプテーションレイヤがｄｏｎｏｒ  ＣＵ／ＣＵ?ＣＰで終了する場合にも適用できる。なお、本実施例の方法は、図６のプロトコルスタックアーキテクチャに限定されない。図６では、ＳＤＡＰ（Ｓｅｒｖｉｃｅ  Ｄａｔａ  Ａｄａｐｔａｔｉｏｎ  Ｐｒｏｔｏｃｏｌ）はサービスデータ適応プロトコル層を表す。
【０１０３】
シナリオ３
データパケットの上りリンク転送（図６のＩＡＢ  ｎｏｄｅ１からＩＡＢ  ｄｏｎｅｒへの転送）
本実施例では、シナリオ１に記載の方法を使用でき、シナリオ１では、ＩＡＢ  ｎｏｄｅ１がコントロールプレーンシグナリング（たとえば、Ｆ１、ＲＲＣメッセージ、Ｘ２、Ｘｎ、Ｓ１、ＮＧインターフェースメッセージなど）を生成する一方、本実施例では、ＩＡＢ  ｎｏｄｅがユーザープレーンのデータパケットを生成し、ＩＡＢ  ｎｏｄｅ１のノード識別子情報がＧＴＰ  ＴＥＩＤを使用してもよい。ＩＡＢ  ｎｏｄｅ１がＩＡＢ  ｎｏｄｅ１の識別に使用されるＦ１  ＧＴＰ  ＴＥＩＤを取得できるようにするため、この識別子は、ＩＡＢ  ｎｏｄｅ２又はＣＵ−ＣＰ／ＣＵ−ＵＰ／ＣＵによってＩＡＢ  ｎｏｄｅ１に送信できる。
【０１０４】
ＩＡＢ  ｎｏｄｅ１のノード識別子がＣＵ−ＣＰ／ＣＵによって割り当てられる場合、次の方法も含まれる。
【０１０５】
１．ＩＡＢ  ｎｏｄｅ１がＩＡＢ  ｎｏｄｅ１のノード識別子を取得する方法
ＣＵ−ＣＰはＲＲＣメッセージを通じてＵＥ  ＩＤをＩＡＢ  ｎｏｄｅ１のＭＴ  ｐａｒｔに送信し、又は、ＩＡＢ  ｎｏｄｅ２はこのＵＥ  ＩＤを取得した後、このＵＥ  ＩＤをＩＡＢ  ｎｏｄｅ１のＭＴ  ｐａｒｔに送信する。
【０１０６】
２．ＩＡＢ  ｎｏｄｅ２がＩＡＢ  ｎｏｄｅ１のノード識別子を取得する方法
ＣＵ−ＣＰは、Ｆ１メッセージを通じてＵＥ  ＩＤをＩＡＢ  ｎｏｄｅ２に送信する。
【０１０７】
３．ＣＵ−ＣＰは、たとえば、ｎｏｎ−ＵＥ  ａｓｓｏｃｉａｔｅｄ  Ｆ１シグナリングを介して、ＧＴＰ  ＴＥＩＤとＵＥ  ＩＤの間のマッピング関係をｄｏｎｏｒ  ＤＵに送信でき、ｄｏｎｏｒ  ＤＵがＩＡＢ  ｎｏｄｅ１のノード識別子とＧＴＰ  ＴＥＩＤの間のマッピング関係を取得できるようにする。
【０１０８】
４．ＣＵ−ＵＰがＩＡＢ  ｎｏｄｅ１のノード識別子を取得する方法
ＣＵ／ＣＵ−ＣＰは、Ｅ１メッセージを通じてＩＡＢ  ｎｏｄｅ１のノード識別子をＣＵ−ＵＰに送信する。
【０１０９】
ＩＡＢ  ｎｏｄｅ１のノード識別子がＩＡＢ  ｎｏｄｅ２によって割り当てられる場合、次の方法も含まれる。
【０１１０】
１．ＩＡＢ  ｎｏｄｅ１がＩＡＢ  ｎｏｄｅ１のノード識別子を取得する方法
ＩＡＢ  ｎｏｄｅ２はＲＲＣメッセージ／ＭＡＣ  ＣＥを通じてＩＡＢ  ｎｏｄｅ１のＭＴ  ｐａｒｔにＵＥ  ＩＤを送信し、又は、ＣＵ−ＣＰは、ＩＡＢ  ｎｏｄｅ２からＵＥ  ＩＤを受信すると、ＲＲＣメッセージを通じてＵＥ  ＩＤをＩＡＢ  ｎｏｄｅ１のＭＴ  ｐａｒｔに送信する。
【０１１１】
２．ＣＵ−ＣＰがＩＡＢ  ｎｏｄｅ１のノード識別子を取得する方法
ＩＡＢ  ｎｏｄｅ２は、Ｆ１メッセージを通じてＵＥ  ＩＤをＣＵ−ＣＰに送信する。
【０１１２】
３．ｄｏｎｏｒ  ＤＵは、ＩＡＢ  ｎｏｄｅ１のノード識別子とＦ１ＡＰ  ＩＤの間のマッピング関係を取得し（ＣＵ−ＣＰはＦ１ＡＰ  ＩＤとＩＡＢ  ｎｏｄｅ１のノードＩＤの間のマッピング関係を取得した後、Ｆ１シグナリングを介してｄｏｎｏｒ  ＤＵに送信する）、又は、コントロールプレーンシグナリング転送用のＦ１ＡＰメッセージには、このＩＡＢ  ｎｏｄｅ１のノード識別子が含まれる。
【０１１３】
４．ＣＵ−ＵＰがこのＩＡＢ  ｎｏｄｅ１のノード識別子を取得する方法
ＣＵ／ＣＵ−ＣＰは、ＩＡＢ  ｎｏｄｅ１のノード識別子を取得した後、Ｅ１メッセージを通じて、このＩＡＢ  ｎｏｄｅ１のノード識別子をＣＵ−ＵＰに送信する。
【０１１４】
ＩＡＢ  ｎｏｄｅ１のノード識別子がＣＵ−ＵＰによって割り当てられる場合、次の方法も含まれる。
【０１１５】
１．ＣＵ−ＣＰがＩＡＢ  ｎｏｄｅ１のノード識別子を取得する方法
ＣＵ−ＵＰは、Ｅ１メッセージを通じてＩＡＢ  ｎｏｄｅ１のノード識別子をＣＵ−ＣＰに送信する。
【０１１６】
２．ＩＡＢ  ｎｏｄｅ１がＩＡＢ  ｎｏｄｅ１のノード識別子を取得する方法
ＩＡＢ  ｎｏｄｅ２は、ＲＲＣメッセージ／ＭＡＣ  ＣＥを通じて、ＩＡＢノード１のノード識別子をＩＡＢ  ｎｏｄｅ１に送信し、又は、ＣＵ−ＣＰはＲＡＢメッセージを通じてＩＡＢ  ｎｏｄｅ１のノード識別子をＩＡＢ  ｎｏｄｅ１に送信する。
【０１１７】
３．ＩＡＢ  ｎｏｄｅ２がＩＡＢ  ｎｏｄｅ１のノード識別子を取得する方法
ＣＵ−ＣＰは、Ｆ１メッセージを通じてＩＡＢ  ｎｏｄｅ１のノード識別子をＩＡＢ  ｎｏｄｅ２に送信する。
【０１１８】
４．ｄｏｎｏｒ  ＤＵは、ＩＡＢ  ｎｏｄｅ１のノード識別子とＴＥＩＤの間のマッピング関係を取得し（ＣＵ−ＣＰは、取得した後、Ｆ１シグナリングを介してｄｏｎｏｒ  ＤＵに送信する）、又は、ｄｏｎｏｒ  ＤＵとｄｏｎｏｒ  ＣＵの間で伝送されるデータパケットのＧＴＰ−Ｕヘッダには、このＩＡＢ  ｎｏｄｅ１のノード識別子が含まれる。
【０１１９】
図７は、本発明の実施例による別のＩＡＢ配置シナリオの模式図である。図７に示すように、ＩＡＢノードのコントロールプレーン情報（ＲＲＣメッセージ及びＦ１ＡＰメッセージ）がユーザープレーン（つまり、ＤＲＢ）を介して転送される場合、ＩＡＢノードがすべてのデータパケットに対してアダプテーションレイヤ処理を実行する場合の方法である。なお、本実施例の方法は、図５のプロトコルスタックアーキテクチャに限定されない。図７では、ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）はアクセス及びモビリティ管理モジュールを表す。Ｅ１ＡＰはＥ１インターフェースアクセスポイントを表す。ＮＧＡＰはＮＧインターフェースセスポイントを表す。
【０１２０】
また、ＣＵ又はＣＵ−ＣＰ又はＩＡＢ  ｎｏｄｅについては、制御シグナリングの伝送専用のＤＲＢ又はＤＲＢセットが設定されており、専用のＤＲＢを介して伝送される場合、コントロールプレーンシグナリングが含まれていることを示す。制御シグナリングの伝送専用のＤＲＢは、特定のＤＲＢ  ＩＤを使用でき、又は、ＣＵによってＩＡＢ  ｎｏｄｅ１のＭＴ  ｐａｒｔに設定されたベアラ情報には、制御シグナリングの伝送専用のＤＲＢはコントロールプレーン指示情報に関連付けられている。
【０１２１】
アダプテーションレイヤヘッダに含まれるＩＡＢノード識別子情報については、上記シナリオに記載の方法を参照すればよい。
【０１２２】
以上で説明された方法により、ＩＡＢアーキテクチャにおいて制御シグナリングによるデータ送受信が難しいという関連技術の問題を解決することができ、制御シグナリングを正しく送受信できる効果を奏する。
【０１２３】
上記実施例の説明に基づいて、当業者にとって明らかなように、上記実施例による方法は、ソフトウェアと必要な汎用ハードウェアプラットフォームの組み合わせによって実現でき、もちろん、ハードウェアによっても実現できるが、多くの場合、前者がより好ましい実施形態である。このような知見に基づいて、本開示の技術案の本質又は関連技術に寄与する部分は、ソフトウェア製品の形で具現化でき、このコンピュータソフトウェア製品は、記憶媒体（たとえば、ＲＯＭ／ＲＡＭ、磁気ディスク、光ディスク）に記憶されており、端末装置（携帯電話、コンピュータ、サーバ、又はネットワーク装置などであり得る）に、本開示の各実施例に記載の方法を実行させるいくつかの命令を含む。
【０１２４】
実施例２
本実施例では、上記図３のモバイル端末上で実行されるデータパケットの送信方法が提供され、図８は、本発明の実施例による別のデータパケットの送信方法のフローチャートであり、図８に示すように、このプロセスは、
ＩＡＢ  ｎｏｄｅは、ベアラ構成情報を取得し、データパケットを送信するためのベアラを該ベアラ構成情報に従って決定するステップＳ８０２と、
前記ＩＡＢは、前記ベアラを介して前記データパケットを子ＩＡＢノード又は親ＩＡＢノード又はＩＡＢドナーに送信するステップＳ８０４と、を含む。
【０１２５】
また、前記ベアラ構成情報には、ＤＲＢ  ＩＤ又はＳＲＢ  ＩＤを含むベアラ識別子、アダプテーションレイヤの解析要否を指示するための指示情報、Ｆ１ＡＰカプセル化を指示するための指示情報、ＧＴＰ−Ｕカプセル化を指示するための指示情報、ＰＤＣＰ処理を指示するための指示情報、関連ベアラによってベアラされるデータパケットのプロトコルタイプを指示するための指示メッセージ、関連ベアラによってベアラされるデータパケットが転送されたデータパケットであるか否かを指示するための指示メッセージ、関連ベアラが転送に用いられることを指示するための指示情報のうちの少なくとも１つが含まれる。
【０１２６】
また、Ｆ１ＡＰカプセル化を指示するための指示情報には、Ｆ１ＡＰカプセル化実行する必要があるか否かを指示するための指示情報、Ｆ１ＡＰカプセル化が実行されたか否かを指示するための指示情報の少なくとも１つが含まれる。
【０１２７】
また、ＧＴＰ−Ｕカプセル化を指示するための指示情報には、ＧＴＰ−Ｕカプセル化を実行する必要があるか否かを指示するための指示情報、ＧＴＰ−Ｕカプセル化が実行されたか否かを指示するための指示情報の少なくとも１つが含まれる。
【０１２８】
また、ＰＤＣＰ処理を指示するための指示情報には、ＰＤＣＰ処理を実行する必要があるか否かを指示するための指示情報、ＰＤＣＰ処理が実行されたか否かを指示するための指示情報の少なくとも１つが含まれる。
【０１２９】
また、関連ベアラによってベアラされるデータパケットのプロトコルタイプを指示するための指示メッセージには、関連ベアラがＦ１ＡＰメッセージの搬送に使用されることを指示するための指示情報、関連ベアラがＲＲＣメッセージの搬送に使用されることを指示するための指示情報のうちの少なくとも１つが含まれる。
【０１３０】
また、前記ベアラ識別子は、アダプテーションレイヤを解析要否、Ｆ１ＡＰプロトコル層処理の実行要否、ＧＴＰ−Ｕプロトコル層処理の実行要否、ＰＤＣＰプロトコル層処理の実行要否、Ｆ１ＡＰプロトコル層処理が実行されたか否か、ＧＴＰ−Ｕプロトコル層処理が実行されたか否か、ＰＤＣＰプロトコル層処理が実行されたか否か、関連ベアラがＦ１ＡＰメッセージの搬送に使用されていること、関連ベアラがＲＲＣメッセージの搬送に使用されること、関連ベアラが転送されたデータパケットの搬送に使用されること、関連ベアラが転送されていないデータパケットの搬送に使用されること、のうちの少なくとも１つを暗黙的に指示する。
【０１３１】
また、前記ＩＡＢノードが前記ベアラ構成情報を取得する前に、前記ＩＡＢノードは、無線リソース制御ＲＲＣメッセージ又はＦ１メッセージを通じてＣＵに指示情報を送信し、ここで、前記指示情報は、ＩＡＢノード指示情報であるか、又は、このＩＡＢノードにベアラ構成情報を要求することに用いられ、前記ＩＡＢノード指示情報は、メッセージを送信するのがＩＡＢノードであることを前記ＣＵに指示する。
【０１３２】
また、前記ＩＡＢノードが前記ベアラ構成情報を取得するステップは、前記ＩＡＢノードは、ＲＲＣメッセージを通じて集中型ユニットＣＵから前記ベアラ構成情報を取得するか、又は前記ＩＡＢノードはＦ１メッセージを通じてＣＵから前記ベアラ構成情報を取得するステップを含む。
【０１３３】
また、前記ＲＲＣメッセージ又は前記Ｆ１メッセージには、ＩＡＢノード識別子情報が含まれる。
【０１３４】
実施例３
本実施例では、上記図３のモバイル端末上で実行されるデータパケットの送信方法が提供され、図９は、本発明の実施例によるデータパケットの受信方法のフローチャートである。図９に示すように、このプロセスは、
子ＩＡＢノード又は親ＩＡＢノード又はＩＡＢ  ｄｏｎｅｒドナーである第２の指定されたＩＡＢノードによって送信されたデータパケットを受信するステップＳ９０２と、
取得したベアラ構成情報に従って前記データパケットを処理するステップＳ９０４と、を含む。
【０１３５】
また、取得したベアラ構成情報に従ってデータパケットを処理するステップには、前記ＩＡＢ  ｎｏｄｅは、前記データパケットに対してアダプテーションレイヤ解析を実行するか否かを前記ベアラ構成情報に従って判定するか、前記データパケットに対してＦ１ＡＰプロトコル層処理を実行するか否かを前記ベアラ構成情報に従って判定するか、前前記データパケットに対してＧＴＰ−Ｕプロトコル層処理を実行するか否かを記ベアラ構成情報に従って判定するか、又は、前記データパケットに対してＰＤＣＰプロトコル層処理を実行するか否かを前記ベアラ構成情報に従って判定するステップが含まれる。
【０１３６】
具体的には、実施例２及び実施例３については、上記の２つの実施例の技術案を容易に理解するために、以下のシナリオも提供される。
【０１３７】
ＩＡＢノードのコントロールプレーン情報（ＲＲＣメッセージ及びＦ１ＡＰメッセージ）がコントロールプレーンＳＲＢを介して転送される場合、ＩＡＢノードが、自体の生成するデータパケットに対してアダプテーションレイヤ処理を実行しない場合の方法である。
【０１３８】
図１０は、本発明の一実施例による別のＩＡＢ配置シナリオの模式図である。ＩＡＢノードとＩＡＢ  ｄｏｎｅｒ間のプロトコルスタックを図１０に示す。
【０１３９】
図１０では、アダプテーションレイヤはＩＡＢ  ｎｏｄｅとＩＡＢ  ｄｏｎｅｒＤＵのＲＬＣ層上に配置される。
【０１４０】
なお、アダプテーションレイヤは、ＲＬＣ層とＭＡＣ層との間に配置され、又は、アダプテーションレイヤ機能は、ＲＬＣ又はＭＡＣ層に配置されるようにしてもよい。ｄｏｎｏｒ  ＤＵとＣＵ−ＣＰとの間のインターフェース上にもアダプテーションレイヤが存在するようにしてもよく、すなわち、ｄｏｎｏｒ  ＤＵとＣＵ−ＣＰは、対応するアダプテーションレイヤ処理を実行する。
【０１４１】
特に断らない限り、本実施例では、ｄｏｎｏｒ  ＣＵは、ｄｏｎｏｒ  ＣＵ−ＣＰを指す。ＣＵのＣＰとＵＰの分離を考慮しない場合、本実施例では、ｄｏｎｏｒ  ＣＵ−ＣＰはｄｏｎｏｒ  ＣＵに置き換えられる。
【０１４２】
なお、Ｆ１ＡＰプロトコル層の下にＳＣＴＰ／ＩＰ層が存在してもよい。なお、Ｆ１ＡＰとＰＤＣＰプロトコル層の間にＲＲＣプロトコル層が存在しなくてもよい。また、図１０のアダプテーションレイヤはｄｏｎｏｒ  ＤＵで終了する。本実施例の方法は、アダプテーションレイヤがｄｏｎｏｒ  ＣＵ／ＣＵ?ＣＰで終了する場合にも適用できる。
【０１４３】
シナリオ１
データパケットの上りリンク転送（図１０のＩＡＢ  ｎｏｄｅ１からＩＡＢ  ｄｏｎｅｒへの転送）
ＩＡＢ  ｎｏｄｅ１のＤＵ  ｐａｒｔによってＦ１メッセージが生成された後、また、ＩＡＢ  ｎｏｄｅ１がＲＲＣレイヤ処理を実行するか、ＩＡＢ  ｎｏｄｅ１のＭＴ  ｐａｒｔがＲＲＣメッセージを生成し、ＩＡＢ  ｎｏｄｅ１がＲＲＣレイヤ処理を実行するか、又はＩＡＢ  ｎｏｄｅ１のＭＴ  ｐａｒｔがＲＲＣメッセージを生成する。
【０１４４】
ＩＡＢ  ｎｏｄｅ１は、ＲＲＣメッセージ又はＦ１メッセージに対してＰＤＣＰ、ＲＬＣ、ＭＡＣ、及び物理層（Ｐｈｙｓｉｃａｌ  Ｌａｙｅｒ、ＰＨＹ）の処理を実行した後、それをＩＡＢ  ｎｏｄｅ２に送信する。
【０１４５】
また、ＩＡＢ  ｎｏｄｅ１によって生成されたＦ１メッセージには、ソースノードの識別子情報及び／又はターゲットノードの識別子情報が含まれる。
【０１４６】
また、ＩＡＢ  ｎｏｄｅ１が他のインターフェースコントロールプレーンシグナリング（たとえば、Ｘ２、Ｘｎ、Ｓ１、ＮＧインターフェースシグナリング）を生成する場合、コントロールプレーンシグナリングには、ソースノードの識別子情報及び／又はターゲットノードの識別子情報が含まれる。
【０１４７】
また、コントロールプレーンシグナリングデータパケットのＰＤＣＰ  ＰＤＵには、プロトコルタイプの指示情報が含まれ、それは、それに含まれるプロトコルタイプを示し、プロトコルタイプには、ＲＲＣ、Ｆ１ＡＰ、Ｘ２ＡＰ、ＸｎＡＰ、Ｓ１ＡＰ、ＮＧＡＰのうちの１つが含まれる。ＩＡＢ  ｎｏｄｅ１は、取得したベアラ構成情報に従って、データパケットをＩＡＢ  ｎｏｄｅ２に送信するためのベアラを決定する。
【０１４８】
また、ＩＡＢノードはＲＲＣメッセージ又はＦ１メッセージを通じて指示情報をＣＵに送信し、この指示情報は、ＩＡＢ  ｎｏｄｅであること、又はベアラ構成情報を必要とすることを示す。ＣＵは、ＲＲＣメッセージ又はＦ１メッセージを通じてベアラ構成情報をＩＡＢノードに送信できる。
【０１４９】
ここで、ベアラ構成情報には、ＤＲＢ  ＩＤ又はＳＲＢ  ＩＤを含むベアラ識別子、アダプテーションレイヤの解析要否を指示するための指示情報、Ｆ１ＡＰカプセル化を実行する必要があるか否かを指示するための指示情報、ＰＤＣＰ処理を実行する必要があるか否かを指示するための指示情報、Ｆ１ＡＰカプセル化が実行されたか否かを指示するための指示情報、ＰＤＣＰ処理が実行されたか否かを指示するための指示情報、関連ベアラがＦ１ＡＰメッセージの搬送に使用されることを指示するための指示情報、関連ベアラがＲＲＣメッセージの搬送に使用されることを指示するための指示情報、関連ベアラが転送されたデータパケットの搬送に使用されることを指示するための指示情報、関連ベアラが転送されていないデータパケットの搬送に使用されることを指示するための指示情報のうちの少なくとも１つが含まれる。
【０１５０】
ここで、ベアラ識別子は、デフォルト又は事前定義のルールに基づいて、アダプテーションレイヤを解析要否、Ｆ１ＡＰプロトコル層処理の実行要否、ＰＤＣＰプロトコル層処理の実行要否、Ｆ１ＡＰプロトコル層処理が実行されたか否か、ＰＤＣＰプロトコル層処理が実行されたか否か、関連ベアラがＦ１ＡＰメッセージの搬送に使用されること、関連ベアラがＲＲＣメッセージの搬送に使用されること、関連ベアラが転送されたデータパケットの搬送に使用されること、関連ベアラが転送されていないデータパケットの搬送に使用されること、のうちの少なくとも１つを暗黙的に指示する。
【０１５１】
上記方法により、ＩＡＢ  ｎｏｄｅ１は、ＩＡＢ  ｎｏｄｅ１によって生成されたＲＲＣメッセージ及びＦ１ＡＰメッセージに対してアダプテーションレイヤ処理及びカプセル化を実行せず、取得したベアラ構成情報に従って、ＩＡＢ  ｎｏｄｅ１によって生成されたＲＲＣメッセージ及びＦ１ＡＰメッセージを送信するためのベアラを決定する。ＩＡＢ  ｎｏｄｅ２も、ＲＲＣメッセージ又はＦ１メッセージを通じてベアラ構成情報を取得し、ベアラ構成情報及び受信したデータパケットが属するベアラに従って、アダプテーションレイヤの解析要否を決定することができる。そして、ＩＡＢ  ｎｏｄｅ２は、アダプテーションレイヤのカプセル化を行い、アダプテーションレイヤヘッダに含まれる情報は、第１実施例におけるシナリオと同じである。
【０１５２】
シナリオ２
データパケットの下りリンク転送（図１０のＩＡＢ  ｄｏｎｅｒからＩＡＢ  ｎｏｄｅ１への転送）
ＩＡＢ  ｎｏｄｅは、ｃｈｉｌｄ  ＩＡＢ  ｎｏｄｅに送信されるデータパケットにアダプテーションレイヤヘッダが含まれるか否かを判定する必要がある。データパケットのアダプテーションレイヤヘッダにおけるターゲット識別子又はＵＥ識別子又はＩＡＢノードのＭＴ識別子に従って判定でき、具体的には、ＵＥ識別子又はＭＴ識別子が、それがサービスを提供するＵＥ又はＩＡＢ  ｎｏｄｅに属すると判定された場合、又はデータパケットのターゲットがそれ自体である場合、ｃｈｉｌｄ  ＩＡＢ  ｎｏｄｅ又はＵＥに送信されるデータパケットにはアダプテーションレイヤヘッダが含まれておらず、ＩＡＢ  ｎｏｄｅは、取得したベアラ構成情報に従って、データパケットをｃｈｉｌｄ  ＩＡＢ  ｎｏｄｅに送信するためのベアラを決定する。
【０１５３】
また、ＩＡＢノードはＲＲＣメッセージ又はＦ１メッセージを通じて指示情報をＣＵに送信し、この指示情報は、ＩＡＢ  ｎｏｄｅであること、又はベアラ構成情報を必要とすることを示す。ＣＵは、ＲＲＣメッセージ又はＦ１メッセージを通じてベアラ構成情報をＩＡＢノードに送信できる。
【０１５４】
ここで、ベアラ構成情報には、データ無線ベアラ識別子（Ｄａｔａ  Ｒａｄｉｏ  Ｂｅａｒｅｒ  Ｉｄｅｎｔｉｆｉｅｒ、ＤＲＢ  ＩＤ）又はシグナリング無線ベアラ識別子（ｓｉｇｎａｌｌｉｎｇ  ｒａｄｉｏ  ｂｅａｒｅｒ  Ｉｄｅｎｔｉｆｉｅｒ、ＳＲＢ  ＩＤ）を含むベアラ識別子、アダプテーションレイヤの解析要否を指示するための指示情報、Ｆ１ＡＰカプセル化を実行する必要があるか否かを指示するための指示情報、ＰＤＣＰ処理を実行する必要があるか否かを指示するための指示情報、Ｆ１ＡＰカプセル化が実行されたか否かを指示するための指示情報、Ｆ１ＡＰカプセル化が実行されたか否かを指示するための指示情報、ＰＤＣＰ処理が実行されたか否かを指示するための指示情報、関連ベアラがＦ１ＡＰメッセージの搬送に使用されることを指示するための指示情報、関連ベアラがＲＲＣメッセージの搬送に使用されることを指示するための指示情報、関連ベアラが転送されたデータパケットの搬送に使用されることを指示するための指示情報、関連ベアラが転送されていないデータパケットの搬送に使用されることを指示するための指示情報、のうちの少なくとも１つが含まれる。
【０１５５】
ここで、ベアラ識別子は、アダプテーションレイヤを解析要否、Ｆ１ＡＰプロトコル層処理の実行要否、ＰＤＣＰプロトコル層処理の実行要否、Ｆ１ＡＰプロトコル層処理が実行されたか否か、ＰＤＣＰプロトコル層処理が実行されたか否か、関連ベアラがＦ１ＡＰメッセージの搬送に使用されること、関連ベアラがＲＲＣメッセージの搬送に使用されること、関連ベアラが転送されたデータパケットの搬送に使用されること、関連ベアラが転送されていないデータパケットの搬送に使用されること、のうちの少なくとも１つを暗黙的に示す。
【０１５６】
ＩＡＢ  ｎｏｄｅは、下りリンクデータパケットを受信した後、受信したデータパケットに対してアダプテーションレイヤ解析を実行するか否かを判定する必要がある。具体的には、ＩＡＢ  ｎｏｄｅは、ベアラ構成情報及び受信したデータパケットが属するベアラに従って判定する。アダプテーションレイヤ解析の必要がないと判定された場合、直接ＰＤＣＰレイヤに配信して処理に供し、アダプテーションレイヤ解析が必要であると判定された場合、アダプテーションレイヤ処理を行った後、ネクストホップノードに送信する。
【０１５７】
ユーザープレーンのデータパケットが転送されるシナリオでは、ＩＡＢノードは、ＩＡＢノードによって生成されたデータパケットに対してアダプテーションレイヤ処理を実行しない場合の方法である。
【０１５８】
ＩＡＢノードとＩＡＢ  ｄｏｎｅｒ間のプロトコルスタックを図４に示す。
【０１５９】
図４では、アダプテーションレイヤはＩＡＢ  ｎｏｄｅとＩＡＢ  ｄｏｎｅｒ  ＤＵのＲＬＣ層上に配置される。
【０１６０】
なお、アダプテーションレイヤ（ａｄａｐｔｏｒ  ｌａｙｅｒ／ａｄａｐｔａｔｉｏｎ  ｌａｙｅｒ）は、ＲＬＣ層とＭＡＣ層との間に配置され、又はアダプテーションレイヤ機能は、ＲＬＣ又はＭＡＣ層に配置されるようにしてもよい。ｄｏｎｏｒ  ＤＵとＣＵ−ＵＰの間のインターフェースにもアダプテーションレイヤが存在するようにしてもよく、つまり、ｄｏｎｏｒ  ＤＵとＣＵ−ＵＰは、対応するアダプテーションレイヤ処理を実行する。
【０１６１】
特に断らない限り、本実施例では、ｄｏｎｏｒ  ＣＵは、ｄｏｎｏｒ  ＣＵ−ＵＰを指す。ＣＵのＣＰとＵＰの分離を考慮しない場合、本実施例では、ｄｏｎｏｒ  ＣＵ−ＵＰはｄｏｎｏｒ  ＣＵによって置き換えられる。
【０１６２】
また、図１１のアダプテーションレイヤはｄｏｎｏｒ  ＤＵで終了する。本実施例の方法は、アダプテーションレイヤがｄｏｎｏｒ  ＣＵ／ＣＵ?ＵＰで終了する場合にも適用できる。なお、本実施例の方法は、図４のプロトコルスタックアーキテクチャに限定されない。図１１では、ＵＤＰ（Ｕｓｅｒ  Ｄａｔａｇｒａｍ  Ｐｒｏｔｏｃｏｌ）はユーザーデータグラムプロトコルを表す。
【０１６３】
シナリオ３
データパケットの上りリンク転送（図１１のＩＡＢ  ｎｏｄｅ１からＩＡＢ  ｄｏｎｅｒへの転送）
上りリンクデータのプロセスにおいて、ＩＡＢ  ｎｏｄｅ１がユーザープレーンのデータパケットを生成した後、アダプテーションレイヤ処理を実行せず、ＤＲＢを介してＩＡＢ  ｎｏｄｅ  ２に送信する。ＩＡＢ  ｎｏｄｅ１は、取得したベアラ構成情報に従って、データパケットをＩＡＢ  ｎｏｄｅ２に送信するためのベアラを決定する。また、ＩＡＢノードはＲＲＣメッセージ又はＦ１メッセージを通じて指示情報をＣＵに送信し、この指示情報は、ＩＡＢ  ｎｏｄｅであるか、又はベアラ構成情報を必要とすることを示す。ＣＵは、ＲＲＣメッセージ又はＦ１メッセージを通じてベアラ構成情報をＩＡＢノードに送信できる。ここで、ベアラ構成情報には、以下の少なくとも１つが含まれる。
【０１６４】
ＤＲＢ  ＩＤ又はＳＲＢ  ＩＤを含むベアラ識別子、
アダプテーションレイヤの解析要否を指示するための指示情報、
関連ベアラが転送されたデータパケットの搬送に使用されることを指示するための指示情報、
関連ベアラが転送されていないデータパケットの搬送に使用されることを指示するための指示情報。
【０１６５】
ベアラ識別子は、デフォルト又は事前定義のルールに基づいて、
アダプテーションレイヤを解析要否、関連ベアラが転送されたデータパケットの搬送に使用されること、関連ベアラが転送されていないデータパケットの搬送に使用されること、のうちの少なくとも１つを暗黙的に指示できる。
【０１６６】
上記方法により、ＩＡＢ  ｎｏｄｅ１は、ＩＡＢ  ｎｏｄｅ１自体によって生成されたユーザープレーンのデータパケットに対してアダプテーションレイヤ処理とカプセル化を実行せず、取得したベアラ構成情報に従って、ＩＡＢ  ｎｏｄｅ１自体によって生成されたユーザープレーンのデータパケットを送信するためのベアラを決定する。ＩＡＢ  ｎｏｄｅ２も、ＲＲＣメッセージ又はＦ１メッセージを通じてベアラ構成情報を取得し、ベアラ構成情報及び受信したデータパケットが属するベアラに従って、アダプテーションレイヤの解析要否を判定することができる。そして、ＩＡＢ  ｎｏｄｅ２は、アダプテーションレイヤのカプセル化を行い、アダプテーションレイヤヘッダに含まれる情報は、第１実施例と同じである。
【０１６７】
シナリオ４
データパケットの下りリンク転送（図１１のＩＡＢ  ｄｏｎｅｒからＩＡＢ  ｎｏｄｅ１への転送）
本シナリオでは、下りリンクデータ転送方法は、シナリオ２の下りリンクデータ転送方法と同じである。
【０１６８】
図１２は、本発明の実施例による別のＩＡＢ配置シナリオの模式図である。
【０１６９】
シナリオ５
ＩＡＢノードのコントロールプレーン情報（ＲＲＣメッセージ及びＦ１ＡＰメッセージ）がユーザープレーン（つまり、ＤＲＢ）を介して転送される場合、ＩＡＢノードが、ＩＡＢノード自体によって生成されるデータパケットに対してアダプテーションレイヤ処理を実行しない場合の方法である。図１２は、本発明の実施例による別のＩＡＢ配置シナリオの模式図である。なお、本実施例の方法は、図１２のプロトコルスタックアーキテクチャに限定されない。
【０１７０】
ＣＵは、ＲＲＣメッセージ又はＦ１メッセージを通じて、ベアラ構成情報をＩＡＢノードに送信できる。ベアラ構成情報の内容については、実施例２の記載を参照すればよい。たとえば、ＩＡＢ  ｎｏｄｅは、次の２つの方法で、受信したデータパケットに対してアダプテーションレイヤ解析を実行するか否かを決定できる。
【０１７１】
方法１
３つの専用ＤＲＢセットを設定する。
【０１７２】
ＤＲＢセット１は、コントロールプレーンのデータパケットがベアラされており、ネクストホップＩＡＢ  ｎｏｄｅがアダプテーションレイヤを解析しないことを示し、ＤＲＢセット２は、ユーザープレーンのデータパケット（ＩＡＢ  ｎｏｄｅ１のＭＴ  ｐａｒｔによって生成されるユーザープレーンデータパケット）がベアラされており、ネクストホップＩＡＢ  ｎｏｄｅがアダプテーションレイヤを解析しないことを示す。ＤＲＢセット３は、コントロールプレーンのデータパケット（転送されたＣＰ  ｓｉｇｎａｌｉｎｇ）がベアラされており、ネクストホップＩＡＢ  ｎｏｄｅがアダプテーションレイヤを解析する必要があることを示す。
【０１７３】
方法２
１つの専用ＤＲＢセットを設定する。
【０１７４】
この専用ＤＲＢセットは、ネクストホップＩＡＢ  ｎｏｄｅがアダプテーションレイヤを解析要否の区別することに使用される。
【０１７５】
シナリオ６
本実施例は、コントロールプレーンシグナリングがＳＲＢを通じて転送される方式のベアラマッピング方法を説明する。具体的には、ＩＡＢノード又はＩＡＢ  ｄｏｎｅｒは、以下の方法の１つ又はこれらの組み合わせを使用できる。
【０１７６】
方法１
ＵＥのＲＲＣメッセージとＩＡＢ  ｎｏｄｅのＭＴ  ｐａｒｔのＲＲＣメッセージの場合、ＩＡＢノード又はＩＡＢ  ｄｏｎｅｒは、受信したＲＲＣメッセージのデータパケットに対応する論理チャネル又はベアラ識別子に従って、対応するｌｏｇｉｃａｌ  ｃｈａｎｎｅｌ  ｐｒｉｏｒｉｔｙを取得することができ、ＩＡＢノードは、それを対応する論理チャネルのｐｒｉｏｒｉｔｙに対応するＳＲＢにマッピングして転送することができる。
【０１７７】
方法２
Ｆ１ＡＰメッセージの場合、ＤＵとＣＵの両方がＩＰヘッダのＤＳＣＰを識別する能力を備え、ＤＳＣＰからｌｏｇｉｃａｌ  ｃｈａｎｎｅｌ  ｐｒｉｏｒｉｔｙへのマッピング関係を、ＩＡＢ  ｎｏｄｅ又はＩＡＢ  ｄｏｎｅｒ（ＤＵ又はＣＵ）に設定することができ、ＩＡＢ  ｎｏｄｅ又はＩＡＢ  ｄｏｎｅｒは、このマッピング関係に基づき、データパケットを対応するＳＲＢにマッピングすることができる。同様に、Ｘｎ−Ｃ、Ｓ１−Ｃ、及びＮＧ−Ｃシグナリングも類似した方法を使用可能である。
【０１７８】
方法３
ＩＡＢ  ｎｏｄｅ又はＩＡＢ  ｄｏｎｅｒは、ｌｏｇｉｃａｌ  ｃｈａｎｎｅｌ  ｐｒｉｏｒｉｔｙからＤＳＣＰへのマッピング関係を（たとえば、ＣＵ又はコアネットワーク要素から）取得し、このマッピング関係に基づき、ＤＳＣＰをアダプテーションレイヤヘッダ又はＩＰヘッダに含める。ＩＡＢ  ｎｏｄｅ又はＩＡＢ  ｄｏｎｅｒは、データパケットを受信した後、このＤＳＣＰ値に従って、マッピング先となるＳＲＢを判定する。
【０１７９】
方法４
デフォルトでは、システムはＳＲＢ１又はＳＲＢ２を通じて制御シグナリングを統一して転送する。
【０１８０】
方法５
ＩＡＢ  ｎｏｄｅは、受信したシグナリングが属するＳＲＢと同じタイプのＳＲＢを使用して転送する。
【０１８１】
方法６
システムは、ＩＡＢシグナリングの転送専用のＳＲＢを事前に設定しており、設定された情報には、このＳＲＢを含むデフォルトＲＬＣ−ｃｏｎｆｉｇ及びｌｏｇｉｃａｌ  ｃｈａｎｎｅｌ  ｃｏｎｆｉｇｕｒａｔｉｏｎも含まれ、ｄｏｎｏｒ  ＣＵ又はＩＡＢ  ｄｏｎｅｒ又はｓｅｒｖｉｎｇ  ＩＡＢ  ｎｏｄｅは、ＩＡＢノードがアクセスするときに、ＩＡＢノードのＭＴ  ｐａｒｔに、ＩＡＢシグナリングの転送専用のＳＲＢのＰＤＣＰ構成を設定できる。
【０１８２】
方法７
ｒｅｆｌｅｃｔｉｖｅのＤＳＣＰ−≫ｌｏｇｉｃａｌ  ｃｈａｎｎｅｌ  ｐｒｉｏｒｉｔｙ／ＳＲＢマッピングメカニズムを使用する。たとえば、ＳＲＢ２はデフォルトで使用されるが、ｒｅｆｌｅｃｔｉｖｅルールに従って調整し得る。
【０１８３】
シナリオ７
本実施例は、コントロールプレーンシグナリングがＤＲＢを介して転送される方式のベアラマッピング方法を説明する。
【０１８４】
具体的には、次の３つのタイプのコントロールプレーンシグナリング、１）ａｃｃｅｓｓ  ＵＥのＲＲＣシグナリング、２）ＩＡＢ  ｎｏｄｅのＭＴ  ｐａｒｔのＲＲＣシグナリング、３）ＩＡＢ  ｎｏｄｅ  ＤＵ  ｐａｒｔのＦ１−ＡＰシグナリングに対しては、ＤＳＣＰ−》ＱＦＩ−》ＤＲＢマッピング方法も、ｌｏｇｉｃａｌ  ｃｈａｎｎｅｌ  ｐｒｉｏｒｉｔｙ−》ｌｏｇｉｃａｌ  ｃｈａｎｎｅｌ  ｐｒｉｏｒｉｔｙマッピング方法も使用できる。
【０１８５】
ＮＧ−Ｃ制御シグナリング及びＸｎ−Ｃシグナリングの場合、ＱｏＳ  ｒｕｌｅ及びＱｏＳ  ｐｒｏｆｉｌｅに基づくマッピング方法、又はＤＳＣＰ−》ＱＦＩ−》ＤＲＢに基づくマッピング方法は使用できる。
【０１８６】
実施例４
本実施例では、データパケットの送信装置も提供され、この装置は、上記の実施例及び実装形態を実現することに使用され、説明されたものについては繰り返して説明しない。以下で使用されるように、「モジュール」という用語は、所定の機能を実現し得るソフトウェア及び／又はハードウェアの組み合わせである。以下の実施例で説明される装置は、ソフトウェアによって実現されることが好ましいが、ハードウェア又はソフトウェアとハードウェアの組み合わせも考えられる。
【０１８７】
図１３は、本発明の実施例によるデータパケットの送信装置の構造ブロック図であり、図１３に示すように、この装置は、設定モジュール１３０２及び送信モジュール１３０４を備える。
【０１８８】
設定モジュール１３０２は、データパケットにアダプテーションレイヤヘッダを追加することに用いられる。
【０１８９】
送信モジュール１３０４は、コントロールプレーンシグナリング又はユーザープレーンのデータパケットである前記データパケットをネクストホップＩＡＢノードに送信することに用いられる。
【０１９０】
また、前記装置は、前記ＩＡＢノードの識別子情報を取得することに用いられる第１取得モジュールをさらに備え、前記設定モジュールは、さらに、追加された前記アダプテーションレイヤヘッダに前記識別子情報を設定することに用いられる。
【０１９１】
また、前記取得モジュールは、さらに、無線リソース制御ＲＲＣメッセージを通じて集中型ユニットＣＵから前記識別子情報を取得するか、Ｆ１メッセージを通じて前記識別子情報を取得するか、又はメディアアクセス制御ユニットＭＡＣ  ＣＥを通じて親ＩＡＢノードから前記識別子情報を取得することに用いられる。
【０１９２】
また、前記装置は、Ｆ１メッセージを通じてＣＵからＩＡＢノード指示情報を取得することに用いられる第２取得モジュールをさらに備える。
【０１９３】
なお、上記の各モジュールは、ソフトウェア又はハードウェアで実現でき、後者の場合、上記のモジュールは、すべて同じプロセッサ内にあるか、又は上記のモジュールは任意の組み合わせで異なるプロセッサにある方法で実現できるが、これらに限定されない。
【０１９４】
実施例５
本実施例では、データパケットの送信装置も提供され、この装置は、上記の実施例及び実装形態を実現することに使用され、説明されたものについては繰り返して説明しない。以下で使用されるように、「モジュール」という用語は、所定の機能を実現し得るソフトウェア及び／又はハードウェアの組み合わせである。以下の実施例で説明される装置は、ソフトウェアによって実現されることが好ましいが、ハードウェア又はソフトウェアとハードウェアの組み合わせも考えられる。
【０１９５】
図１４は、本発明の実施例による別のデータパケットの送信装置の構造ブロック図であり、図１４に示すように、この装置は、取得モジュール１４０２及び送信モジュール１３０４を備える。
【０１９６】
取得モジュール１４０２は、ベアラ構成情報を取得し、データパケットを送信するためのベアラを該ベアラ構成情報に従って決定することに用いられる。
【０１９７】
送信モジュール１４０４は、前記ベアラを介して、子ノード又は親ＩＡＢノード又はＩＡＢドナーに前記データパケットを送信することに用いられる。
【０１９８】
また、前記ベアラ構成情報には、ＤＲＢ  ＩＤ又はＳＲＢ  ＩＤを含むベアラ識別子、アダプテーションレイヤの解析要否を指示するための指示情報、Ｆ１ＡＰカプセル化を指示するための指示情報、ＧＴＰ−Ｕカプセル化を指示するための指示情報、ＰＤＣＰ処理を指示するための指示情報、関連ベアラによってベアラされるデータパケットのプロトコルタイプを指示するための指示メッセージ、関連ベアラによってベアラされるデータパケットが転送されたデータパケットであるか否かを指示するための指示メッセージ、関連ベアラが転送に使用されることを指示するための指示情報、のうちの情報の少なくとも１つが含まれる。
【０１９９】
また、前記装置は、無線リソース制御ＲＲＣメッセージ又はＦ１メッセージを通じて指示情報をＣＵに送信することに用いられる要求モジュールをさらに備え、前記指示情報は、ＩＡＢノード指示情報であるか、該ＩＡＢノードに前記ベアラ構成情報を要求することに使用され、前記ＩＡＢノード指示情報は、メッセージを送信するのがＩＡＢノードであることを前記ＣＵに指示することに使用される。
【０２００】
また、前記取得モジュールは、さらに、ＲＲＣメッセージを通じて集中型ユニットＣＵから前記ベアラ構成情報を取得するか、又はＦ１メッセージを通じてＣＵから前記ベアラ構成情報を取得することに用いられる。
【０２０１】
なお、上記の各モジュールは、ソフトウェア又はハードウェアで実現でき、後者の場合、上記のモジュールは、すべて同じプロセッサ内にあるか、又は上記のモジュールは任意の組み合わせで異なるプロセッサにある方法で実現できるが、これらに限定されない。
【０２０２】
実施例６
本実施例では、データパケットの受信装置も提供され、この装置は、上記の実施例及び実装形態を実現することに使用され、説明されたものについては繰り返して説明しない。以下で使用されるように、「モジュール」という用語は、所定の機能を実現し得るソフトウェア及び／又はハードウェアの組み合わせである。以下の実施例で説明される装置は、ソフトウェアによって実現されることが好ましいが、ハードウェア又はソフトウェアとハードウェアの組み合わせも考えられる。
【０２０３】
図１５は、本発明の実施例によるデータパケットの受信装置の構造ブロック図であり、図１５に示すように、この装置は、受信モジュール１５０２及び処理モジュール１５０４を備える。
【０２０４】
受信モジュール１５０２は、第２の指定されたＩＡＢノードによって送信されたデータパケットを受信することに用いられ、前記第２の指定されたＩＡＢノードは、子ＩＡＢノード又は親ＩＡＢノード又はＩＡＢ  ｄｏｎｅｒドナーである。
【０２０５】
処理モジュール１５０４は、取得したベアラ構成情報に従って前記データパケットを処理することに用いられる。
【０２０６】
また、前記処理モジュール１５０４は、さらに、前記データパケットに対してアダプテーションレイヤ解析を実行するか否かを前記ベアラ構成情報に従って判定するか、前記データパケットに対してＦ１ＡＰプロトコル層処理を実行するか否かを前記ベアラ構成情報に従って判定するか、前記データパケットに対してＧＴＰ−Ｕプロトコル層処理を実行するか否かを前記ベアラ構成情報に従って判定するか、又は前記データパケットに対してＰＤＣＰプロトコル層処理を前記ベアラ構成情報に従って実行するか否かを判定することに用いられる。
【０２０７】
なお、上記の各モジュールは、ソフトウェア又はハードウェアで実現でき、後者の場合、上記のモジュールは、すべて同じプロセッサ内にあるか、又は上記のモジュールは任意の組み合わせで異なるプロセッサにある方法で実現できるが、これらに限定されない。
【０２０８】
実施例７
本実施例では、データパケットの伝送システムも提供され、この装置は、上記実施例及び実施形態を実現することに使用され、説明されたものについては繰り返して説明しない。
【０２０９】
図１６は、本発明の実施例によるデータパケットの伝送システムの構造図であり、図１６に示すように、この装置は、第１ＩＡＢノード１６０２及び第２ＩＡＢノード１６０４を備える。
【０２１０】
第１ＩＡＢノード１６０２は、アダプテーションレイヤヘッダをデータパケットに追加し、該データパケットを前記第２ＩＡＢノードに送信することに用いられる。
【０２１１】
第２ＩＡＢノード１６０４は、前記アダプテーションレイヤヘッダを含むデータパケットを受信することに用いられる。
【０２１２】
ここで、前記データパケットはコントロールプレーンシグナリング又はユーザープレーンのデータパケットである。
【０２１３】
実施例８
本実施例では、別のデータパケットの伝送システムも提供され、この装置は、上記の実施例及び実施形態を実現することに使用され、説明されたものについては繰り返して説明しない。
【０２１４】
図１７は、本発明の実施例によるデータパケットの伝送システムの構造図であり、図１７に示すように、この装置は、第３ＩＡＢノード１７０２及び第４ＩＡＢノード１７０４を備える。
【０２１５】
第３ＩＡＢノード１７０２は、ベアラ構成情報を取得し、データパケットを送信するためのベアラを該ベアラ構成情報に従って決定し、前記ベアラを介して第４ＩＡＢノードに前記データパケットを送信することに用いられる。
【０２１６】
第４ＩＡＢノード１７０４は、第３ノードのＩＡＢノード１７０２によって送信されたデータパケットを受信し、前記ベアラ構成情報を取得し、前記データパケットを前記ベアラ構成情報に従って処理することに用いられ、前記第４ＩＡＢノード１７０４は、第３ＩＡＢノード１７０２の子ＩＡＢノード又は親ＩＡＢノードである。
【０２１７】
実施例９
本実施例では、別のデータパケットの伝送システムも提供され、この装置は、上記の実施例及び実施形態を実現することに使用され、説明されたものについては繰り返して説明しない。
【０２１８】
図１８は、本発明の実施例による別のデータパケットの伝送システムの構造図であり、図１８に示すように、この装置は、第５ＩＡＢノード１８０２及びＩＡＢドナー１８０４を備える。
【０２１９】
第５ＩＡＢノード１８０２は、ベアラ構成情報を取得し、データパケットを送信するためのベアラを該ベアラ構成情報に従って決定し、前記ベアラを介して前記ＩＡＢドナーに前記データパケットを送信することに用いられる。
【０２２０】
ＩＡＢドナー１８０４は、第５ＩＡＢノード１８０２によって送信されたデータパケットを受信することに用いられる。
【０２２１】
実施例１０
本開示の実施例はまた、実行されると上記の方法の実施例のいずれか１つのステップを実行することに用いられるコンピュータプログラムが記憶されている記憶媒体を提供する。
【０２２２】
また、本実施例では、上記記憶媒体は、Ｕディスク、読み取り専用メモリ（Ｒｅａｄ−Ｏｎｌｙ  Ｍｅｍｏｒｙ、ＲＯＭと略される）、ランダムアクセスメモリ（Ｒａｎｄｏｍ  Ａｃｃｅｓｓ  Ｍｅｍｏｒｙ、ＲＡＭと略される）、モバイルハードディスク、磁気ディスク、光ディスクなど、コンピュータプログラムを記憶し得るさまざまな媒体を含み得るが、これらに制限されない。
【０２２３】
実施例１１
本開示の実施例はまた、メモリ及びプロセッサを備える電子装置を提供し、このメモリにはコンピュータプログラムが記憶されており、このプロセッサは、コンピュータプログラムを実行することによって、上記の方法の実施例のいずれか１つのステップを実行することに用いられる。
【０２２４】
また、上記電子装置は、伝送機器及び入出力機器をさらに備えることができ、この伝送機器は上記プロセッサに接続され、この入出力機器は上記プロセッサに接続される。
【０２２５】
また、本実施例の具体例については、上記実施例及び好適実施形態で説明された例を参照することができ、本実施例では詳しく説明しない。
【０２２６】
本開示によれば、ＩＡＢノード自体が生成したデータパケットにアダプテーションレイヤヘッダを付加したり、専用ベアラ構成情報を利用したりするため、ＩＡＢアーキテクチャにおいてＩＡＢアーキテクチャによるデータ送受信が難しいという関連技術の問題を解決することができ、制御信号を正しく送受信できる効果を奏する。
【０２２７】
もちろん、当業者にとって自明なように、本開示の上記の各モジュール又は各ステップは、汎用の計算装置によって実現され得、それらは単一の計算装置に集積されてもよく、又は複数の計算装置から構成されているネットワークに分散されてもよく、また、それらは、計算装置によって実行可能なプログラムコードで実現することができ、したがって、それらは、記憶装置に記憶されて、計算装置により実行することができ、また、場合によっては、表示又は説明されているステップは、ここで記載のものとは異なる順序で実行するか、個々の集積回路モジュールとして製造するか、又はそれらの複数のモジュール又はステップを単一の集積回路モジュールとして製造して実現するようにしてもよい。このため、本開示は、いずれの特定のハードウェア及びソフトウェアの組み合わせにも限定されない。
【図１】
2021528020.tif 000003
【図２】
2021528020.tif 000004
【図３】
2021528020.tif 000005
【図４】
2021528020.tif 000006
【図５】
2021528020.tif 000007
【図６】
2021528020.tif 000008
【図７】
2021528020.tif 000009
【図８】
2021528020.tif 000010
【図９】
2021528020.tif 000011
【図１０】
2021528020.tif 000012
【図１１】
2021528020.tif 000013
【図１２】
2021528020.tif 000014
【図１３】
2021528020.tif 000015
【図１４】
2021528020.tif 000016
【図１５】
2021528020.tif 000017
【図１６】
2021528020.tif 000018
【図１７】
2021528020.tif 000019
【図１８】
2021528020.tif 000020
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
データパケットの送信方法であって、
無線アクセスバックホール統合伝送リンクＩＡＢノードは、コントロールプレーンシグナリング又はユーザープレーンのデータパケットであるデータパケットにアダプテーションレイヤヘッダを追加し、前記データパケットをネクストホップＩＡＢノードに送信するステップを含む、データパケットの送信方法。
【請求項２】
前記ＩＡＢノードは前記ＩＡＢノードの識別子情報を取得し、追加された前記アダプテーションレイヤヘッダに前記識別子情報を設定するステップをさらに含み、
前記ＩＡＢノードが前記識別子情報を取得するステップは、
前記ＩＡＢノードは、無線リソース制御ＲＲＣメッセージを通じて集中型ユニットＣＵから前記識別子情報を取得するか、
前記ＩＡＢノードは、Ｆ１メッセージを通じて前記識別子情報を取得するか、又は、
前記ＩＡＢノードは、メディアアクセス制御ユニットＭＡＣ  ＣＥを通じて親ＩＡＢノードから前記識別子情報を取得するステップを含む、請求項１に記載の方法。
【請求項３】
前記ＩＡＢノードが前記データパケットに前記アダプテーションレイヤヘッダを追加する前に、
前記ＩＡＢノードは、Ｆ１メッセージを通じて集中型ユニットＣＵからＩＡＢノード指示情報を取得するステップをさらに含む、請求項１に記載の方法。
【請求項４】
前記アダプテーションレイヤヘッダには、
ソースＩＡＢノードの識別子情報、フォーマット指示情報、指定された情報の情報ドメインが存在するか否かを指示するための指示情報、中継指示情報、プロトコルタイプ指示情報、プロトコル層処理の実行要否又は実行済みを指示するための指示情報、ＵＥ識別子タイプを指示するための指示情報、ＵＥ識別子とＭＴ識別子の区別を指示するための指示情報、データパケットの生成ソースを指示するための指示情報、ＵＥ識別子情報、ターゲットノード情報、ベアラ識別子、論理チャネル識別子、ルーティングパス情報、サービス品質ＱｏＳ情報、ＧＴＰトンネル情報、Ｆ１ＡＰ  ＩＤ情報、コントロールプレーン指示情報、ユーザープレーン指示情報のうちの少なくとも１つが含まれる、請求項１に記載の方法。
【請求項５】
前記ＩＡＢノード識別子情報は、
前記ＩＡＢノードのモバイル端末のＭＴ部分を識別するための第１識別子、前記ＩＡＢノード又はＩＡＢドナーの分散型ユニットＤＵ、集中型ユニットＣＵ、又は基地局部分を識別するための第２識別子のうちの少なくとも１つを含む、請求項２〜４のいずれか一項に記載の方法。
【請求項６】
前記第１識別子は、Ｃ−ＲＮＴＩ、及びＣ?ＲＮＴＩが割り当てられたノード又はセル識別子、Ｆ１ＡＰ  ＩＤ、Ｘ２ＡＰ  ＩＤ、ＸｎＡＰ  ＩＤ、Ｓ１ＡＰ  ＩＤ、ＮＧＡＰ  ＩＤ、ＧＴＰ  ＴＥＩＤ、ＤＵ識別子、セル識別子、ＰＣＩ及び第３識別子のうちの少なくとも１つを含む、又は、
前記第２識別子は、ＤＵ識別子、ＣＵ識別子、基地局識別子、セル識別子、ＰＣＩ、ＩＰアドレス、及び第３識別子のうちの少なくとも１つを含み、
前記第３識別子は、ＣＵによって割り当てられた識別子、ＣＵ−ＣＰによって割り当てられた識別子、ＣＵ−ＵＰによって割り当てられた識別子、又は、前記親ＩＡＢノードによって割り当てられた識別子である、請求項５に記載の方法。
【請求項７】
前記データパケットがコントロールプレーンシグナリングである場合、前記コントロールプレーンシグナリングは、前記ＩＡＢノード識別子情報を含み、前記ＩＡＢノード識別子情報は、ソースノードの識別子情報とターゲットノードの識別子情報のうちの少なくとも１つを含み、又は、前記コントロールプレーンシグナリングデータパケットのＰＤＣＰ  ＰＤＵには、ベアラされたプロトコルタイプを示すためのプロトコルタイプ指示情報が含まれ、前記プロトコルタイプは、ＲＲＣ、Ｆ１ＡＰ、Ｘ２ＡＰ、ＸｎＡＰ、Ｓ１ＡＰ、ＮＧＡＰのうちの１つを含む、請求項５に記載の方法。
【請求項８】
データパケットの送信方法であって、
無線アクセスバックホール統合伝送リンクＩＡＢノードは、ベアラ構成情報を取得し、データパケットを送信するためのベアラを前記ベアラ構成情報に従って決定するステップと、
前記ＩＡＢノードは、前記ベアラを介して、子ＩＡＢノード又は親ＩＡＢノード又はＩＡＢドナーに前記データパケットを送信するステップと、を含む、データパケットの送信方法。
【請求項９】
前記ベアラ構成情報は、
ＤＲＢ  ＩＤ又はＳＲＢ  ＩＤを含むベアラ識別子、アダプテーションレイヤの解析要否を指示するための指示情報、Ｆ１ＡＰカプセル化を指示するための指示情報、ＧＴＰ−Ｕカプセル化を指示するための指示情報、ＰＤＣＰ処理を指示するための指示情報、関連ベアラによってベアラされるデータパケットのプロトコルタイプを指示するための指示メッセージ、関連ベアラによってベアラされるデータパケットが転送されたデータパケットであるか否かを指示するための指示メッセージ、関連ベアラが転送に使用されることを指示するための指示情報のうちの少なくとも１つを含む、請求項８に記載の方法。
【請求項１０】
前記ＩＡＢノードが前記ベアラ構成情報を取得する前に、
前記ＩＡＢノードは、無線リソース制御ＲＲＣメッセージ又はＦ１メッセージを通じて、ＩＡＢノード指示情報であるか、前記ＩＡＢノードのために前記ベアラ構成情報を要求するための指示情報を集中型ユニットＣＵに送信するステップをさらに含む、請求項８に記載の方法。
【請求項１１】
前記ＩＡＢノードが前記ベアラ構成情報を取得するステップは、
前記ＩＡＢノードは、ＲＲＣメッセージを通じて集中型ユニットＣＵから前記ベアラ構成情報を取得するか、又は、
前記ＩＡＢノードは、Ｆ１メッセージを通じて集中型ユニットＣＵから前記ベアラ構成情報を取得するステップを含む、請求項８に記載の方法。
【請求項１２】
前記ＲＲＣメッセージ又は前記Ｆ１メッセージには、ＩＡＢノード識別子情報が含まれる、請求項１０に記載の方法。
【請求項１３】
データパケットの受信方法であって、
無線アクセスバックホール統合伝送リンクＩＡＢノードは、子ＩＡＢノード又は親ＩＡＢノード又はＩＡＢ  ｄｏｎｏｒドナーである指定ＩＡＢノードによって送信されたデータパケットを受信するステップと、
前記ＩＡＢノードは、取得したベアラ構成情報に従って前記データパケットを処理するステップと、を含む、データパケットの受信方法。
【請求項１４】
取得したベアラ構成情報に従って前記データパケットを処理するステップは、
前記ＩＡＢノードは、前記ベアラ構成情報に従って、前記データパケットに対してアダプテーションレイヤ解析を実行するか否かを判定するか、
前記ＩＡＢノードは、前記ベアラ構成情報に従って、前記データパケットに対してＦ１ＡＰプロトコル層処理を実行するか否かを判定するか、
前記ＩＡＢノードは、前記ベアラ構成情報に従って、前記データパケットに対してＧＴＰ−Ｕプロトコル層処理を実行するか否かを判定するか、又は、
前記ＩＡＢノードは、前記ベアラ構成情報に従って、前記データパケットに対してＰＤＣＰプロトコル層処理を実行するか否かを判定するステップを含む、請求項１３に記載の方法。
【請求項１５】
メモリ及びプロセッサを備え、前記メモリには、コンピュータプログラムが記憶されており、前記プロセッサは、前記コンピュータプログラムを実行することによって、請求項１〜７、８〜１２又は１３、１４のいずれか１項に記載の方法を実行するように構成されている、電子装置。
【手続補正２】
【補正対象書類名】明細書
【補正対象項目名】０１３４
【補正方法】変更
【補正の内容】
【０１３４】
実施例３
本実施例では、上記図３のモバイル端末上で実行されるデータパケットの受信方法が提供され、図９は、本発明の実施例によるデータパケットの受信方法のフローチャートである。図９に示すように、このプロセスは、
子ＩＡＢノード又は親ＩＡＢノード又はＩＡＢ  ｄｏｎｅｒドナーである第２の指定されたＩＡＢノードによって送信されたデータパケットを受信するステップＳ９０２と、
取得したベアラ構成情報に従って前記データパケットを処理するステップＳ９０４と、を含む。
【手続補正３】
【補正対象書類名】明細書
【補正対象項目名】０２１５
【補正方法】変更
【補正の内容】
【０２１５】
第３ＩＡＢノード１７０２は、ベアラ構成情報を取得し、データパケットを送信するためのベアラを該ベアラ構成情報に従って決定し、前記ベアラを介して第４ＩＡＢノード１７０４に前記データパケットを送信することに用いられる。
【手続補正４】
【補正対象書類名】明細書
【補正対象項目名】０２１９
【補正方法】変更
【補正の内容】
【０２１９】
第５ＩＡＢノード１８０２は、ベアラ構成情報を取得し、データパケットを送信するためのベアラを該ベアラ構成情報に従って決定し、前記ベアラを介して前記ＩＡＢドナー１８０４に前記データパケットを送信することに用いられる。
【国際調査報告】
2021528020.tif 000021
2021528020.tif 000022
2021528020.tif 000023
2021528020.tif 000024